(57)【要約】  入力される音声信号を符号化して音声符号化信号へ変換し、変換後の音声符号化信号を含む音声ストリームパケットを生成することでＰＥＳデータを生成するパケット生成部（５１、５２）と、ＭＰＥＧサラウンドであることを示すコンポーネント種別ＩＤ、および、音声コンポーネント種別の変更予約を示す変更予約ＩＤを含むコンポーネント記述子を更新する記述子更新部（５７）と、更新したコンポーネント記述子をパケット化することでセクションデータを生成するパケット化部（５４）と、ＰＥＳデータとセクションデータとを多重化する多重化部（５５）と、多重化したデータを変調して送信する変調部（５６）とを備えるデジタル放送送信装置。
2011027494.tif 000002
【特許請求の範囲】
【請求項１】
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部と
を備えるデジタル放送送信装置。
【請求項２】
さらに、マニュアルまたは送出プログラミングによる指示によって、前記音声コンポーネント種別の変更点を決定し、前記変更点の所定の前後時間において変更予約ＩＤが出力されるように前記記述子更新部を制御するシーケンス制御部を備える
請求項１に記載のデジタル放送送信装置。
【請求項３】
前記シーケンス制御部は、前記変更予約ＩＤが送出される間の音声が無音となるように前記パケット生成部を制御する
請求項２に記載のデジタル放送送信装置。
【請求項４】
前記シーケンス制御部は、前記変更予約ＩＤの送出の開始のタイミングが、前記変更点よりも５００ミリ秒前から１ミリ秒前までのいずれかのタイミングとなるように、前記記述子更新部を制御する
請求項２に記載のデジタル放送送信装置。
【請求項５】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部と
を備えるデジタル放送受信装置。
【請求項６】
前記第二パケット解析部が変更予約ＩＤを検出した場合、音声をミュートするためのミュート制御信号を出力するモード制御部を備える
請求項５に記載のデジタル放送受信装置。
【請求項７】
デジタル放送送信装置と、デジタル放送受信装置とを備えるデジタル放送送受信システムであって、
前記デジタル放送送信装置は、
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤおよび音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部とを有し、
前記デジタル放送受信装置は、
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部とを有する
デジタル放送送受信システム。
【請求項８】
入力される音声信号を符号化して音声符号化信号へ変換し、変換後の音声符号化信号を含む音声ストリームパケットを生成することでＰＥＳデータを生成するパケット生成ステップと、
音声符号化方式がＭＰＥＧサラウンドであることを示すコンポーネント種別ＩＤおよび音声コンポーネント種別の変更予約を示す変更予約ＩＤを含むコンポーネント記述子を更新する記述子更新ステップと、
更新したコンポーネント記述子をパケット化することでセクションデータを生成するパケット化ステップと、
前記ＰＥＳデータと前記セクションデータとを多重化する多重化ステップと、
前記多重化部から得られる多重化したデータを変調して送信する変調ステップと
を含むデジタル放送送信方法。
【請求項９】
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部と
を備える集積回路。
【請求項１０】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するためのデジタル放送受信方法であって、
前記多重化放送を受信する受信ステップと、
受信した前記多重化放送のデータである多重化データに含まれるＰＥＳデータから、符号化された音声信号である音声符号化信号を含む音声ストリームパケットを取得する第一パケット解析ステップと、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析ステップと
を含むデジタル放送受信方法。
【請求項１１】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力する集積回路であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部と
を備える集積回路。
【発明の詳細な説明】
【技術分野】
【０００１】
本発明は、地上波や衛星波を含む伝送路を介して、少なくとも音声の情報をデジタル方式で伝送するデジタル放送伝送システム、伝送に使用するデジタル放送送信装置、及び、デジタル放送受信装置に関する。
【背景技術】
【０００２】
近年、地上波または衛星波を含む伝送路を介して、音声、映像および文字等の情報をデジタル信号として伝送するデジタル放送がさらに発展しつつある。【０００３】
デジタル信号を伝送する方式としては、ＩＳＯ／ＩＥＣ１３８１８−１で提案された方式がよく知られている。ＩＳＯ／ＩＥＣ１３８１８−１では、送信側で、各番組の音声、映像およびデータ毎に符号化されたデジタル信号を多重化して伝送し、受信側で、指定の番組を受信し再生するための制御について方式が定められている。【０００４】
符号化された音声信号および映像信号は所定の時間で区切られ、再生時間情報などを含むヘッダ情報を付加されて、ＰＥＳ（Ｐａｃｋｅｔｉｚｅｄ  Ｅｌｅｍｅｎｔａｒｙ  Ｓｔｒｅａｍ）と呼ばれるパケットを構成する。【０００５】
さらにＰＥＳは、基本的に１８４バイト毎に区切られ、パケット識別子と呼ばれる識別のためのＩＤ（ＰＩＤ）などを含むヘッダ情報を付加されて、ＴＳＰ（トランスポートパケット／Ｔｒａｎｓｐｏｒｔ  Ｐａｃｋｅｔ）と呼ばれるパケットに再構成され多重化される。【０００６】
また、ＰＳＩ（Ｐｒｏｇｒａｍ  Ｓｐｅｃｉｆｉｃ  Ｉｎｆｏｒｍａｔｉｏｎ）と呼ばれる、番組と、番組を構成するパケットとの関係を表すテーブル情報も音声信号および映像信号のＴＳＰに多重化される。【０００７】
ＰＳＩとしては、ＰＡＴ（Ｐｒｏｇｒａｍ  Ａｓｓｏｃｉａｔｉｏｎ  Ｔａｂｌｅ）、およびＰＭＴ（Ｐｒｏｇｒａｍ  Ｍａｐ  Ｔａｂｌｅ）など４種類のテーブルが規定される。【０００８】
ＰＡＴには各番組に対応するＰＭＴのＰＩＤが記述され、ＰＭＴには対応する番組を構成する音声や映像信号などが格納されたパケットのＰＩＤが記述されている。【０００９】
受信機は、ＰＡＴとＰＭＴを参照することで、複数の番組が多重化されたＴＳＰの中から、目的の番組を構成するパケットを取出す。なお、データパケットおよびＰＳＩは、ＰＥＳとは異なるセクションと呼ばれる形式でＴＳＰ内に格納される。【００１０】
ＰＥＳパケットから、ヘッダなどを取り除いてデータだけを抽出すると、例えば、ＭＰＥＧ−２  ＡＡＣのストリームを得ることができる。【００１１】
音声信号の符号化方式としては、ＩＳＯ／ＩＥＣ  １３８１８−７（ＭＰＥＧ−２  Ａｕｄｉｏ  ＡＡＣ）がある。【００１２】
デジタル放送で使用するＡＡＣ規格の場合、現行のサービスとしては５．１チャンネルに対応している。日本のデジタル放送においては、社団法人電波産業会が発行するＡＲＩＢ標準規格および運用規定があり、具体的な方式、パラメータおよび運用の規定について詳細に定めている。【００１３】
図１３は、既定の音声コンポーネントの種別を示す図である。同図に示される２／０モード（ステレオ）が一般的に使用され、サラウンド放送では３／２＋ＬＦＥモードを使用していわゆる５．１チャンネルサラウンド放送が実施される。【００１４】
図１４は、従来のデジタル放送送信装置のブロック図である。特に２チャンネルステレオ放送とサラウンド放送との切換えに関連する機能に注目したブロック図である。【００１５】
図１４に示す従来のデジタル放送送信装置は、シーケンス制御部１４２、音声信号入力切換部１５０、音声信号符号化部１５１、パケット化部１５２、記述子符号化部１５３、パケット化部１５４、多重化部１５５、および変調部１５６を備える。【００１６】
マニュアルまたは送出プログラミングによる切換え指示がシーケンス制御部１４２に入力される。シーケンス制御部１４２は切換え点を定めて音声信号入力切換部１５０を制御して入力信号を２チャンネルステレオから５．１チャンネル信号に切換える。【００１７】
それぞれの信号は音声信号符号化部１５１でＭＰＥＧ−２  ＡＡＣ方式に符号化される。５．１チャンネルの場合はＭＰＥＧ−２  ＡＤＴＳ固定ヘッダで“３／２＋ＬＦＥ”を示すとともにＰＣＥ（Ｐｒｏｇｒａｍ  Ｃｏｎｆｉｇｕｒａｔｉｏｎ  Ｅｌｅｍｅｎｔ）でダウンミクシング係数の伝送を行う。これらは音声信号ストリームに包含されている。【００１８】
図１５は、５．１チャンネルサラウンド放送を受信するための従来の受信装置の一例を示すブロック図である。【００１９】
図１５に示す従来の受信装置は、アンテナ１０１、復調部１０２、逆多重化部１０３、パケット解析部１１０、ストリーム情報解析部１１１、ＡＡＣ２チャンネルデコーダ１１２、ＡＡＣ５．１チャンネルデコーダ１１３、ダウンミクシング係数解析部１１４、ダウンミクシング合成部１１５、パケット解析部１２５、およびセレクタ１１６を備える。【００２０】
図１５に示す受信装置においては、一般的なテレビ受像機の音声再生は通常２チャンネルステレオであるため、５．１チャンネルサラウンド放送を一旦デコード処理した後で、２チャンネルステレオ信号にダウンミクシングする構成としている。【００２１】
図１５において、アンテナ１０１から受信した放送波から、復調部１０２で復調してトランスポートストリームを再生し、逆多重化部１０３でそれぞれの形式に応じて区分けする。その内のセクションデータはパケット解析部１２５で解析してＰＡＴ／ＰＭＴを取り出し番組情報などとして利用し、ＰＥＳデータはパケット解析部１１０で解析し選択したストリームを取り出す。【００２２】
パケット解析部１１０で解析し選択したストリームはストリーム情報解析部１１１でさらに解析して、ＡＡＣのヘッダ、基本信号、およびその他に区分けする。ヘッダに２チャンネルステレオのＩＤがあれば、基本信号はＡＡＣ２チャンネルデコーダ１１２で２チャンネルステレオ信号にデコード処理され、ヘッダに５．１チャンネルサラウンドのＩＤがあれば、ＡＡＣ５．１チャンネルデコーダ１１３で５．１チャンネル信号にデコード処理される。【００２３】
デコード処理された５．１チャンネル信号はダウンミクシング合成部１１５で５．１チャンネルから２チャンネルにダウンミクシングされる。この時ダウンミクシングに必要なダウンミクシング係数はストリームヘッダのＰＣＥに埋め込まれたものを使用する。それぞれの場合に応じてデコード処理、ダウンミクシングされた２チャンネルステレオ信号はセレクタ１１６で選択され２チャンネルステレオ信号として出力される。【００２４】
このように従来のＡＡＣ５．１チャンネル方式の場合は、２チャンネル再生の受信機で受けるために、一旦５．１チャンネルのデコード処理をしてから、それらをダウンミクシングして２チャンネル信号に変換する必要があった。そのため、特に省電力を必要とするポータブル機器にとってはかえって処理量が増大するため不向きであった。【００２５】
そこで従来のＡＡＣを拡張したもので、２チャンネルダウンミックスにより低レート化したビットストリームを基本信号とし、これに付加情報を加えることによって、マルチチャンネル再生を可能とする方式が新たに提案されている。【００２６】
例えば、マルチチャンネルから２チャンネルにダウンミックスした基本信号に、チャンネル間のレベル差や位相差情報を付加することで、９６ｋｂｐｓ程度で５．１チャンネルサラウンド再生を可能とするＭＰＥＧサラウンド方式が存在する。これはＩＳＯ／ＩＥＣ  ２３００３−１として標準化された方式である。【００２７】
ＭＰＥＧサラウンド方式は、基本信号がダウンミクシング信号であるため、従来機器でも特に問題なく再生できるコンパチビリティがある上に、ＡＡＣ５．１チャンネルに比べても低レートで同じ程度の音質が実現できる特長がある。【００２８】
このため、ＭＰＥＧサラウンド方式は、新たなシステムへの採用が検討されている。特に低ビットレートを主体とする地上デジタルテレビのワンセグ放送やデジタルラジオの実用化試験放送の１セグメント放送などでは、これまでＡＡＣ５．１チャンネルを放送しようとしてもビットレートが不足するため出来なかった。しかし、９６ｋｂｐｓ程度から可能なＭＰＥＧサラウンド方式の採用によって、ワンセグと同程度のビットレートで本格的なサラウンド放送を実用化する可能性がでてきた。【００２９】
このＭＰＥＧサラウンド方式は、日本において２０１１年以降ＶＨＦ帯を用いて検討がなされているマルチメディア放送にも適するものと考えられる。この場合５．１チャンネルサラウンド放送には従来のＡＡＣ５．１チャンネルに代えてＭＰＥＧサラウンド方式が採用される可能性が高い。【００３０】
図１６Ａ〜図１６Ｅは、ＡＡＣ、ＡＡＣ＋ＳＢＲ（Ｓｐｅｃｔｒａｌ  Ｂａｎｄ  Ｒｅｐｌｉｃａｔｉｏｎ：スペクトル帯域拡張）、ＭＰＥＧサラウンドの各フォーマット構成、および基本信号であるＡＡＣ２チャンネル信号のみを取り出す装置の構成の一部を示すブロック図である。図中の“ヘッダ”はＭＰＥＧ−２  ＡＡＣのＡＤＴＳ固定ヘッダのことである。また図中の“Ｃｈ”および“ｃｈ”はチャンネルの略語として用いる。このことは他の図でも同様とする。【００３１】
図１６Ａは、通常のＭＰＥＧ−２  ＡＡＣのフレーム構造を示す図である。図１６Ｂは、ＭＰＥＧ−２  ＡＡＣで表される基本信号にＳＢＲ方式で表される高域周波数情報を付加したフレーム構造を示す図である。【００３２】
図１６Ｃは、ＭＰＥＧ−２  ＡＡＣで表される基本信号にチャンネル拡張情報を付加したＭＰＥＧサラウンドのフレーム構造を示す図である。【００３３】
図１６Ｄは、ＭＰＥＧ−２  ＡＡＣで表される基本信号にＳＢＲ方式で表される高域周波数情報とチャンネル拡張情報を付加したＭＰＥＧサラウンドのフレーム構造を示す図である。【００３４】
図１６Ｅは、受信したデータから基本信号であるＡＡＣ２チャンネル信号のみを取り出す装置の構成の一部を示すブロック図である。【００３５】
日本の放送では、基本信号としてはＭＰＥＧ−２  ＡＡＣの２チャンネルステレオが使用される。ＭＰＥＧ−２  ＡＡＣの拡張方式であるＡＡＣ＋ＳＢＲおよびＭＰＥＧサラウンド方式は、ともに基本信号の上に拡張情報を付加したフォーマット構造を有する。【００３６】
これらのフレーム構成を有するデータ列はバースト状のストリームとして伝送される。【００３７】
図１６Ａ〜図１６Ｄに示すいずれの方式においても、ヘッダおよび基本信号部のフォーマット構成は共通である。従来のＭＰＥＧ−２  ＡＡＣのフレーム構造では、図１６Ａのように、基本信号の後はヌルデータなどで埋められるパディング領域である。そのため、ＭＰＥＧ−２  ＡＡＣに対応する従来のデコーダであれば、図１６Ａ〜図１６Ｄのいずれのデータが入力された場合でも、ヘッダおよび基本信号部のフォーマット構成が共通であるために、ＭＰＥＧ−２  ＡＡＣの基本信号部だけは少なくとも再生することができるコンパチビリティを有する。【００３８】
さらに図１６Ｅに記載の、基本信号である２チャンネル信号のみを取り出す装置について説明する。図１６Ｅにおいて、図１５に示すブロックと同じ機能を有するブロックは同符号とし簡単のため説明を略す。ＡＡＣ２チャンネルデコーダ１１２は図１６Ａ〜図１６Ｄに示す何れの信号であっても基本信号のみをデコード処理しＭＰＥＧ−２  ＡＡＣの２チャンネルステレオを再生し出力する。【００３９】
図１７は、従来の各種受信機のデコード処理を一覧にまとめて示す図である。【００４０】
図１７には２つのタイプの受信機について例示している。これまで説明した２チャンネル再生専用機と５．１チャンネル再生受信機である。【００４１】
２チャンネル再生専用機としてはポータブル機器を想定するが高音質とするためのＳＢＲにも対応する。５．１チャンネル再生受信機としては車載型のチューナを想定し、５．１チャンネルサラウンド放送を受信する場合は少なくとも５＋１個のスピーカーでサラウンド音場を楽しむことができる。また２チャンネルステレオ放送の場合は従来通り２チャンネルステレオでも楽しめるが、５．１チャンネルの疑似サラウンドとするための処理を加えて共通のスピーカーユニットを利用しても良い。【００４２】
図１８は、従来の５．１チャンネル再生専用受信装置の一例を示すブロック図である。図１８において、ストリーム情報解析部１１１からは基本信号、ＳＢＲ情報、チャンネル拡張情報、ＳＢＲ情報有無データ、およびチャンネル拡張情報有無データが出力される。【００４３】
基本信号はＡＡＣ２チャンネルデコーダ１１２へ、ＳＢＲ情報はＳＢＲ情報解析部１１７へ、チャンネル拡張情報はチャンネル拡張情報解析部１２２へそれぞれ出力される。ＳＢＲ情報有無データ、およびチャンネル拡張情報有無データはともにモード制御部１４１へそれぞれ出力される。【００４４】
帯域拡張部１１８はＡＡＣ２チャンネルデコーダ１１２で復号化された基本信号を基にして高域にスペクトルをコピーして帯域拡張する。また、帯域拡張部１１８は、ＳＢＲ情報解析部１１７の出力を用いてエンベロープのエネルギーが周波数軸上で滑らかになるように制御する。【００４５】
チャンネル拡張部１３０は基本信号を基にチャンネル拡張情報解析部１２２の出力を用いてチャンネル拡張を行い５．１チャンネル信号を生成する。モード制御部１４１はＳＢＲ情報有無データが有る場合に帯域拡張された基本信号を選択するようセレクタ１１９を制御する。また、モード制御部１４１はチャンネル拡張情報有無データが有る場合に５．１チャンネル信号を選択するようセレクタ１２１を制御する。セレクタ１１９の２チャンネル信号は５．１チャンネル疑似サラウンド部１２０で疑似サラウンド信号に変換されてセレクタ１２１へ出力される。このような構成は、例えば車載型の受信機に適用される。【００４６】
図１９は、従来のチャンネル拡張部１３０の構成の一例を示すブロック図である。【００４７】
詳細説明は簡単のために略すが、メインのパスに実数係数ＱＭＦ分析フィルタ３０１、ナイキスト分析フィルタ３０４、ナイキスト合成フィルタ３０７、実数係数ＱＭＦ合成フィルタ３１０および遅延部３０２、３０８など、多くのフィルタおよび遅延要素を含む。そのため、処理時間が数１０ｍｓ〜数１００ｍｓかかる。【００４８】
なお、チャンネル拡張部１３０は、これら構成要素に加え、実数複素数変換部３０３および３０９を備えている。【００４９】
図２０は、従来の５．１チャンネル疑似サラウンド部１２０の一例を示すブロック図である。５．１チャンネル疑似サラウンド部１２０では、入力される２チャンネル基本信号にサイド情報が含まれていないため、相関検出部２０１で２チャンネル基本信号からチャンネル間の相関検出を行って、マトリックス分配・合成部２０２およびリバーブエコーフィルタ処理部２０３を制御して５．１チャンネル信号を生成する。【００５０】
図２１は、従来の受信機の音声種別変更検出および変更補助処理フローを示すフローチャートである。【００５１】
図２１において、まず、受信機は、ステップＳ１１でＰＩＤを設定して選局関連の設定を行う。【００５２】
受信機は、音声パケット受信かどうかをステップＳ１３で判定しながら音声パケットのみを取り出してヘッダ情報解析のステップＳ１４へ移行する。ステップＳ１４においては、受信機は、ヘッダ情報を解析してプロファイルおよび標本化周波数などを判別するが、２チャンネルとＭＰＥＧサラウンドの判別はここでは未だつかない。【００５３】
受信機は、ステップＳ１５で基本信号としてのＡＡＣ２チャンネルデータ処理を行う。次に、受信機は、ステップＳ１６において基本信号の後に続く領域にチャンネル拡張情報があるかどうかを判定する。この判定のためには前回の判定結果からの変化を根拠とするため少なくとも送出周期以上の時間を要する。エラーが想定される場合の確実な判定は繰り返し回数に比例してその確度が高まることになる。変更がなければステップＳ１３へ戻る。変更があれば、受信機は、速やかに音声ミュート処理およびチャンネル拡張部１３０の初期化を行う（ステップＳ１７）。受信機は、異音の発生する可能性のある時間に対して、適切なマージンをみて所定時間ウェイトし、ミュートを保持する（ステップＳ１８）。次に受信機は、音声デミュート（ミュート解除）を行って再生信号の出力を行う（ステップＳ１９）。
【先行技術文献】
【特許文献】
【００５４】
【特許文献１】国際公開第２００８／１１７５２４号
【非特許文献】
【００５５】
【非特許文献１】ＩＳＯ／ＩＥＣ  １３８１８−１
【非特許文献２】ＩＳＯ／ＩＥＣ  １３８１８−７（ＭＰＥＧ−２  Ａｕｄｉｏ  ＡＡＣ）
【非特許文献３】ＭＰＥＧサラウンド規格書：ＩＳＯ／ＩＥＣ  ２３００３−１
【非特許文献４】ＡＲＩＢ規格書：ＡＲＩＢ  ＳＴＤ−Ｂ１０
【非特許文献５】ＡＲＩＢ規格書：ＡＲＩＢ  ＡＲＩＢ  ＳＴＤ−Ｂ３２
【発明の概要】
【発明が解決しようとする課題】
【００５６】
以上のように、ＭＰＥＧサラウンド方式のデータは、２チャンネル機器にとってはチャンネル拡張部分を無視するだけで基本信号の２チャンネルが再生できるメリットがあるため、ＭＰＥＧサラウンド方式は、ポータブル機器などにも適する優れた方式である。このために、ＭＰＥＧサラウンド方式では、基本信号だけでなくヘッダも２チャンネルＡＡＣと全く同じ構成としてレガシーの２チャンネル機器が誤動作しないようにしている。すなわち差があるのはチャンネル拡張領域の有無だけである。【００５７】
このことは、フォーマットの判別が不要な２チャンネル機器にとっては好都合である反面、５．１チャンネル機器にとっては必ずしも都合が良くない。これは、フォーマットの判別が早急に必要な場合であっても、ヘッダ解析からはフォーマットの判別がつかないためである。基本信号の後に続く領域にチャンネル拡張情報があるかどうかを繰り返し判定するために相当時間を要してしまう。【００５８】
図２２は、従来の５．１チャンネル受信機における２ｃｈから５．１ｃｈへのシーケンスを説明するタイミング図である。【００５９】
図２２のＡ）は音声モードの変化を示しており、タイミングＴ０１で２チャンネルから５．１チャンネルに切換えられている。すなわち５．１チャンネルモードに遷移する。【００６０】
図２２のＢ）は送出される音声ＰＥＳの変化を示している。タイミングＴ０１まで２チャンネルＡＡＣで符号化したデータが送出され、それ以降はＭＰＥＧサラウンドで符号化したデータが送出される。日本のデジタル放送においては、ＡＲＩＢ規格ＡＲＩＢ  ＳＴＤ−Ｂ３２において、音声パラメータの切換え時に５００ｍｓのミュート（無音）を入れるよう規定されている。そのため、タイミングＴ０１からタイミングＴ０３までの間は無音データが送出されることになる。【００６１】
図２２のＥ）はこのような信号を受信する受信機のデコード処理タイミングを示すものである。受信機はモードの変更の有無を検出し判別するまでに所定の時間を要するため、タイミングＴ０２でモードの変更の有無を検出し、それから音声ミュート処理およびチャンネル拡張部１３０の初期化を行う（図２１のＳ１７に相当）。【００６２】
図２２のＦ）は受信機からの音声出力の変化を示している。受信機は、デコーダの初期化に要する所定の時間経過後のタイミングＴ０４からデコード処理を始め、デコーダ遅延時間経過後のタイミングＴ０５で初めてデコード処理データが得られる。これにより、ミュートを解除して再生音を出力できるようになる。【００６３】
放送送出側では、切換え時のミュート時間経過後のタイミングＴ０３から次のプログラムの音声を出力し始める。すなわちタイミングＴ０３がプログラムの頭になる。このタイミングＴ０３からデコード遅延を経過するタイミングＴ０６が受信再生の頭出しのポイントとなる。【００６４】
タイミングＴ０２の時間的な位置は、放送波の受信品質によってはモード変更の有無を判別するために時間を要することなどに起因して大きく変わる。Ｔ０２が図のように遅れて、結果としてタイミングＴ０５がタイミングＴ０６より遅れると、遅れた分の時間だけプログラムの頭の音声がとぎれる。【００６５】
すなわちタイミングＴ０６からタイミングＴ０５までの間とぎれることになる。また、送出側でミュートする５００ｍｓの部分であっても受信エラーで無音データが雑音に化けることも想定される。そのため、受信側でモード変更を検出してミュートを開始するまでの間は異音のおそれが残る。【００６６】
図２３は、従来の５．１チャンネル受信機の５．１ｃｈから２ｃｈへのシーケンスを説明するタイミング図である。図２２とほぼ同様であるため説明は省略する。チャンネル拡張部１３０の初期化に要する時間が不要であるので若干問題は減少するものの、同様な問題が生じる。【００６７】
新たに開発されたＭＰＥＧサラウンド方式が放送方式に採用されると仮定すると、ＭＰＥＧサラウンド方式と従来のＭＰＥＧ−２  ＡＡＣ２チャンネル方式とを共存して運用する形態になると考えられる。【００６８】
マルチメディア放送では、それらを時間単位あるいはプログラム単位で選択して放送することになる。例えば野球の実況放送では臨場感を提供するためＭＰＥＧサラウンド方式を用いて、途中に挿入するコマーシャル放送は一般的なＡＡＣ２チャンネルを用いる場合などである。【００６９】
この時、切換え時の問題がある。元々繋ぎ目なしの連続出音は困難なので多少の無音（ミュート）時間が入ることは避けられない。しかし、それ以上に受信装置で切換えに要する検出時間が長くなるとミュート制御関連のタイミングが遅れるために、切換え後のプログラムのスタート部分が無音になる頭切れが発生する恐れがあり、最悪の場合は異音が発生する恐れがある。【００７０】
本発明は、前記従来の課題を解決するもので、デジタル放送受信機において、伝送される音声信号の符号化方式に応じた処理判断を短時間で行うことを可能とした、デジタル放送送信装置、デジタル放送受信装置、およびデジタル放送送受信システムを提供することを目的とする。
【課題を解決するための手段】
【００７１】
課題を解決するために、本発明の一態様に係るデジタル放送送信装置は、入力される音声信号を符号化して音声符号化信号へ変換し、変換後の音声符号化信号を含む音声ストリームパケットを生成することでＰＥＳデータを生成するパケット生成部と、音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、更新したコンポーネント記述子をパケット化することでセクションデータを生成するパケット化部と、前記ＰＥＳデータと前記セクションデータとを多重化する多重化部と、前記多重化部から得られる多重化したデータを変調して送信する変調部とを備える。【００７２】
上記本態様に係るデジタル放送送信装置によれば、本態様のデジタル放送送信装置から送信されたデータを受信するデジタル放送受信装置で、ＭＰＥＧサラウンド放送であることの判別に要する時間が短縮でき、ストリームの解析を待つことなく確実に判別できる。そのため、当該デジタル放送受信装置では、例えばＡＡＣ２チャンネルモードから５．１チャンネルモードに切換えられた場合であっても、デコード処理の切換えおよびミュート処理が短時間に実行できる効果がある。【００７３】
また、本発明の一態様に係るデジタル放送送信装置は、さらに、マニュアルまたは送出プログラミングによる指示によって、前記音声コンポーネント種別の変更点を決定し、前記変更点の所定の前後時間において変更予約ＩＤが出力されるように前記記述子更新部を制御するシーケンス制御部を備えるとしてもよい。【００７４】
これに対応する受信機では事前に変更ポイントを知ることが出来るので、デコード処理やミュート処理のタイミングをさらに早められる。ひいては異音の保護のために変更時に挿入する無音の時間をシステム的に短縮することができる。【００７５】
また、本発明の一態様に係るデジタル放送送信装置において、前記シーケンス制御部は、前記変更予約ＩＤが送出される間の音声が無音となるように前記パケット生成部を制御するとしてもよい。【００７６】
また、本発明の一態様に係るデジタル放送送信装置において、前記シーケンス制御部は、前記変更予約ＩＤの送出の開始のタイミングが、前記変更点よりも５００ミリ秒前から１ミリ秒前までのいずれかのタイミングとなるように、前記記述子更新部を制御するとしてもよい。【００７７】
また、本発明の一態様に係るデジタル放送受信装置は、少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、前記多重化放送を受信する受信部と、受信した前記多重化放送のデータである多重化データに含まれるＰＥＳデータから、符号化された音声信号である音声符号化信号を含む音声ストリームパケットを取得する第一パケット解析部と、前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部とを備える。【００７８】
上記態様にかかるデジタル放送受信装置によれば、ＭＰＥＧサラウンド放送であることの判別に要する時間が短縮でき、ストリームの解析を待つことなく確実に判別できる。そのため、当該デジタル放送受信装置では、ＡＡＣ２チャンネルモードから切換えられた場合であっても、デコード処理の切換えおよびミュート処理が短時間に実行できる効果がある。さらに、事前に変更ポイントを知ることが出来るのでデコード処理の初期化やミュート処理のタイミングを早められる。【００７９】
また、本発明の一態様に係るデジタル放送受信装置において、前記第二パケット解析部が変更予約ＩＤを検出した場合、音声をミュートするためのミュート制御信号を出力するモード制御部を備えるとしてもよい。【００８０】
また、本発明は、本発明の一態様に係るデジタル放送送信装置、および、本発明の一態様に係るデジタル放送受信装置を備えるデジタル放送送受信システムとして実現することもできる。【００８１】
また、本発明は、本発明の一態様に係るデジタル放送送信装置が実行する処理を含むデジタル放送送信方法として実現することもできる。【００８２】
また、本発明は、本発明の一態様に係るデジタル放送受信装置が実行する処理を含むデジタル放送受信方法として実現することもできる。【００８３】
また、本発明は、本発明の一態様に係るデジタル放送送信方法、および、本発明の一態様に係るデジタル放送受信方法のそれぞれをコンピュータに実行させるプログラムとして実現することもできる。これらプログラムのそれぞれは、当該プログラムが記録された記録媒体として実現することもできる。そして、当該プログラムをインターネット等の伝送媒体又はＤＶＤ等の記録媒体を介して配信することもできる。【００８４】
また、本発明は、本発明の一態様に係るデジタル放送送信装置が備える構成要素を含む１つまたは複数の集積回路として実現することもできる。【００８５】
また、本発明は、本発明の一態様に係るデジタル放送受信装置が備える構成要素を含む１つまたは複数の集積回路として実現することもできる。
【発明の効果】
【００８６】
本発明によれば、デジタル放送受信機において、伝送される音声信号の符号化方式に応じた処理判断を短時間で行うことを可能とした、デジタル放送送信装置、デジタル放送受信装置、およびデジタル放送送受信システムを提供できる。
【図面の簡単な説明】
【００８７】
【図１】図１は、本発明の実施の形態におけるデジタル放送送信装置の構成を示すブロック図である。
【図２】図２は、本発明の実施の形態におけるデジタル放送送信装置における音声出力切換えの一例を示すフローチャートである。
【図３】図３は、本発明の実施の形態のデジタル放送送信装置における音声出力切換え（２ｃｈから５．１ｃｈ）の一例を示すタイミングチャートである。
【図４Ａ】図４Ａは、本発明の実施の形態において、音声コンポーネント記述子に追加する種別ＩＤの一覧を示す図表である。
【図４Ｂ】図４Ｂは、本発明の実施の形態において、音声コンポーネント記述子に追加するモードの変更予約ＩＤの一覧を示す図表である。
【図５】図５は、本発明の実施の形態における、音声のモード変更例を説明する遷移図である。
【図６】図６は、本発明の実施の形態におけるデジタル放送送信装置の放送を受信して５．１チャンネル信号を再生するデジタル放送受信装置の構成を示すブロック図である。
【図７】図７は、本発明に好適なチャンネル拡張部の具体的な構成例を示すブロック図である。
【図８】図８は、本発明の実施の形態のデジタル放送送信装置における音声種別変更検出および変更補助処理フローを示すフローチャートである。
【図９】図９は、本発明の実施の形態の５．１ｃｈシステムにおける２ｃｈから５．１ｃｈへのシーケンスを示すタイミング図である。
【図１０】図１０は、本発明の実施の形態の５．１ｃｈシステムにおける５．１ｃｈから２ｃｈへのシーケンスを示すタイミング図である。
【図１１】図１１は、本発明の実施の形態における２チャンネルステレオ信号を再生するデジタル放送受信装置の構成を示すブロック図である。
【図１２】図１２は、本発明の実施の形態の２ｃｈシステムにおいて５．１ｃｈ、２ｃｈ、および５．１ｃｈの順にモードが遷移する場合のシーケンスを示すタイミング図である。
【図１３】図１３は、既定の音声コンポーネントの種別を示す図表である。
【図１４】図１４は、従来のデジタル放送送信装置のブロック図である。
【図１５】図１５は、５．１チャンネルサラウンド放送を受信するための従来の受信装置の一例を示すブロック図である。
【図１６Ａ】図１６Ａは、通常のＭＰＥＧ−２  ＡＡＣのフレーム構造を示す図である。
【図１６Ｂ】図１６Ｂは、ＭＰＥＧ−２  ＡＡＣで表される基本信号にＳＢＲ方式で表される高域周波数情報を付加したフレーム構造を示す図である。
【図１６Ｃ】図１６Ｃは、ＭＰＥＧ−２  ＡＡＣで表される基本信号にチャンネル拡張情報を付加したＭＰＥＧサラウンドのフレーム構造を示す図である。
【図１６Ｄ】図１６Ｄは、ＭＰＥＧ−２  ＡＡＣで表される基本信号にＳＢＲ方式で表される高域周波数情報とチャンネル拡張情報を付加したＭＰＥＧサラウンドのフレーム構造を示す図である。
【図１６Ｅ】図１６Ｅは、受信したデータから基本信号であるＡＡＣ２チャンネル信号のみを取り出す装置の構成の一部を示すブロック図である。
【図１７】図１７は、従来の各種受信機のデコード処理をまとめて示す図である。
【図１８】図１８は、従来の５．１チャンネル再生専用受信装置の一例を示すブロック図である。
【図１９】図１９は、従来のチャンネル拡張部の一例を示すブロック図である。
【図２０】図２０は、従来の５．１チャンネル疑似サラウンド部の一例を示すブロック図である。
【図２１】図２１は、従来の受信機の音声種別変更検出および変更補助処理フローを示すフローチャートである。
【図２２】図２２は、従来の５．１チャンネル受信機における２ｃｈから５．１ｃｈへのシーケンスを説明するタイミング図である。
【図２３】図２３は、従来の５．１チャンネル受信機の５．１ｃｈから２ｃｈへのシーケンスを説明するタイミング図である。
【発明を実施するための形態】
【００８８】
以下、本発明の実施の形態について、図面を参照しながら説明する。なお、本実施の形態では、音声符号化方式にＭＰＥＧサラウンドを用いたデジタル放送伝送システムを例にとり説明する。
【００８９】
本実施の形態では、ＭＰＥＧ規格を一部修正して新たなコンポーネント種別データの記述子を伝送するための追加を行うことを前提としている。しかし、ＭＰＥＧ規格の修正ができない場合であっても事業者規定として割り当てられている領域があるので、この領域をＡＲＩＢ規格で新たに規定することができる。この場合、ＭＰＥＧ規格を一部修正する場合と、標準化の範囲は異なることになるが、全く同様の情報伝送ができるので、どちらの場合も本発明の作用効果は同一である。
【００９０】
図１は、本発明の実施の形態におけるデジタル放送送信装置の構成を示すブロック図である。
【００９１】
デジタル放送送信装置６０は、音声信号に関して符号化情報パケットを生成し、生成した符号化情報パケットにコンポーネント種別データとしてＭＰＥＧサラウンドの種別ＩＤおよび変更予約ＩＤ情報を記述して音声信号に併せて伝送する送信装置である。
【００９２】
デジタル放送送信装置６０は、音声信号入力切換部５０、音声信号符号化部５１、パケット化部５２、多重化部５５、シーケンス制御部４２、コンポーネント記述子更新部５７、パケット化部５４および変調部５６を備える。
【００９３】
なお、音声信号符号化部５１とパケット化部５２とにより、本発明のデジタル放送送信装置におけるパケット生成部による処理が実現される。また、パケット化部５４は、本発明のデジタル放送送信装置におけるパケット化部の一例である。
【００９４】
番組を構成する２チャンネルステレオまたは５．１チャンネルサラウンド信号は、音声信号入力切換部５０に入力されて切換え選択され、音声信号符号化部５１に入力されてデジタル信号に変換される。変換されたデジタル信号は、パケット化部５２にてヘッダ情報を付加され、ＰＥＳ化される。
【００９５】
同時に、シーケンス制御部４２はマニュアルまたは送出プログラミング指示に基づいて音声信号入力切換部５０を制御するとともに、コンポーネント記述子更新部５７へコンポーネント種別データとしてＭＰＥＧサラウンド種別ＩＤおよび変更予約ＩＤを入力する。
【００９６】
コンポーネント記述子更新部５７は、入力されたコンポーネント種別データにより、パケット化部５４に対して出力する音声コンポーネント記述子を更新する。なお、「音声コンポーネント記述子」は、単に「コンポーネント記述子」と表記される場合もある。
【００９７】
コンポーネント記述子更新部５７から出力されたデータは他のＰＡＴおよびＰＭＴとともにパケット化部５４に入力される。パケット化部５４は、入力されたこれらデータをセクション形式でパケット化する。
【００９８】
コンポーネント種別データを受信機に伝送することで、受信機の最適動作に大きな効果がある。例えば、受信機側では、音声信号の符号化方式がＡＡＣであるかＭＰＥＧサラウンドであるかを基本信号の復号化開始よりも早く知ることができる。
【００９９】
従来であれば、１フレーム分の基本信号を複数のパケットからすべて抽出し、復号した後にはじめて、音声信号がＡＡＣで符号化されているかＭＰＥＧサラウンドで符号化されているかを知ることができた。
【０１００】
これに対し、本実施の形態のデジタル放送送信装置６０によれば、音声信号がＡＡＣで符号化されているかＭＰＥＧサラウンドで符号化されているかを示す記述子が、音声信号のＰＥＳパケットとは別に、符号化情報としてセクション形式でパケット化されている。これにより、受信機では、音声信号の復号を開始する前に符号化情報を知ることができる。これにより、受信機において、確実に音声信号のデコード処理ができるという効果を得ることができる。
【０１０１】
図２は、本発明の実施の形態におけるデジタル放送送信装置６０における音声出力切換えの一例を示すフローチャートである。
【０１０２】
シーケンス制御部４２に、マニュアルまたは送出プログラミング指示により音声信号データの入力切換え指示が入力される（Ｓ０１）と、シーケンス制御部４２は、符号化情報モード変更ありか無しかを判定（Ｓ０２）し、変更ありの場合は変更点の決定（Ｓ０３）を行う。
【０１０３】
変更無しの場合はループしながら、変更ありになるのを待つ。変更点が決定（Ｓ０３）されると、シーケンス制御部４２は、変更前処理（Ｓ０４）として、変更予約ＩＤを出力するとともに、好ましくは、音声信号符号化部５１を制御することで、音声信号に対し、適時フェードアウトなどの処理を開始する。所定の時間経過後、シーケンス制御部４２は、変更処理として、音声信号符号化部５１を制御することで、音声ＰＥＳデータ切換えを行う（Ｓ０５）。その後、シーケンス制御部４２は、変更後処理として変更予約ＩＤの送出を停止するとともに、音声信号符号化部５１を制御することで、変更後の音声信号を適時フェードインさせてデミュート処理（Ｓ０６）をする。
【０１０４】
図３は、本発明の実施の形態のデジタル放送送信装置６０における音声出力切換え（２ｃｈから５．１ｃｈ）の一例を示すタイミングチャートである。
【０１０５】
図３のＡ）は音声モード、図３のＢ）は音声信号ＰＥＳの符号化形式、図３のＣ）は音声コンポーネント記述子の種別ＩＤ、図３のＤ）は変更予約ＩＤのタイミングチャートである。
【０１０６】
図３に示すＳ０１、Ｓ０４、Ｓ０５、およびＳ０６は、図２のフローチャートのステップと対応づけている。すなわちシーケンス制御部４２は、切換え指示（Ｓ０１）により変更前処理（Ｓ０１）として変更予約ＩＤ“Ｏｘ１７”を送出し始め、切換え処理（Ｓ０５）点で音声ＰＥＳをミュートしたまま符号化モードを切換え、同時に種別ＩＤを切り換える。
【０１０７】
なお、変更予約ＩＤは、当該変更点の所定の前後時間（当該変更点から所定の時間だけ前または後のタイミングで出力される。例えば、当該変更点よりも５００ミリ秒前から１ミリ秒前までのいずれかのタイミングで送出が開始される。
【０１０８】
シーケンス制御部４２は、変更後処理（Ｓ０６）点では変更予約ＩＤを停止し、音声ミュートを解除する。変更予約ＩＤ“Ｏｘ１７”はＭＰＥＧサラウンドの有無が変わるという内容である。つまり現行２チャンネルステレオであったのが、５．１チャンネルＭＰＥＧサラウンドに変更されることを意味する。
【０１０９】
逆にＭＰＥＧサラウンドから２チャンネルステレオに変更する場合も変更予約ＩＤ“Ｏｘ１７”が使用される。現行の種別ＩＤからＭＰＥＧサラウンドの機能の有無が変更されるという意味である。
【０１１０】
なお、現行規格の音声コンポーネント記述子ではコンポーネント種別として図１３に示すものが規定されているが、ＭＰＥＧサラウンドを識別できるコンポーネント種別が未規定である。そこで本発明においては音声コンポーネント記述子のコンポーネント種別ＩＤを追加してＭＰＥＧサラウンドの識別が出来るようにした。
【０１１１】
ＭＰＥＧサラウンド以外にもＳＢＲ付きの識別などが出来るように追加修正した一覧を図４Ａおよび図４Ｂに示す。
【０１１２】
図４Ａは、本発明の実施の形態において、音声コンポーネント記述子に追加する種別ＩＤの一覧を示す図であり、図４Ｂは、追加するモードの変更予約ＩＤの一覧を示す図である。変更予約ＩＤではＭＰＥＧサラウンドの変更以外に、ＳＢＲの変更およびサンプリング周波数の変更予約も出来るように拡張している。
【０１１３】
図５は、音声のモード変更例を説明する遷移図である。ＸＹ平面の第１象限にサンプリング周波数１６ｋＨｚないし４８ｋＨｚまでのノーマルモードを配置して示し、第２象限に同じくＭＰＥＧサラウンド付きモードを配置して示し、第４象限にＳＢＲ付きモードを配置して示し、さらに第３象限にＳＢＲおよびＭＰＥＧサラウンド付きモードを配置して示す。
【０１１４】
例えば太線で示すように、モードＭ０３（サンプリング周波数２４ｋＨｚノーマル）からＳＢＲが付加されＭ１３と遷移し、ＳＢＲを止めてサンプリング周波数４８ｋＨｚにしたＭ０６へ遷移し、ＭＰＥＧサラウンドを付加したＭ２６へ遷移した後にさらにＳＢＲを付加してＭ３３へ遷移する。図４Ａおよび図４Ｂに示す追加を行えば、音声コンポーネント記述子でこれらの遷移をすべて表すことができる。なお、ＳＢＲ付きモードでサンプリング周波数が制限されているのは、単に規格の運用規定によるものである。
【０１１５】
以上のように、音声コンポーネント記述子の拡張によって、考えられるすべてのモードの識別と変更予約の記述を伴った多重化データの送出が可能となる。これらは、本発明の実施の形態におけるデジタル放送送信装置６０から送出される。
【０１１６】
次に、デジタル放送送信装置６０から送信される放送を受信する受信装置について説明する。
【０１１７】
図６は、本発明の実施の形態におけるデジタル放送送信装置６０の放送を受信して５．１チャンネル信号を再生するデジタル放送受信装置の構成を示すブロック図である。
【０１１８】
図６に示すデジタル放送受信装置７０は、デジタル放送送信装置６０において符号化された音声信号の符号化情報が記述されたセクションパケットを解析することにより、音声信号を符号化時の符号化方式に従って復号するとともに、符号化方式の切換え点の前後においてもスムーズに切換えて再生する受信装置である。
【０１１９】
デジタル放送受信装置７０は、図示しない、アンテナ１０１、復調部１０２、および逆多重化部１０３を備える。デジタル放送受信装置７０はさらに、ＰＥＳデータを解析するパケット解析部１０、ストリーム情報解析部１１、ＡＡＣ２チャンネルデコーダ１２、ＳＢＲ情報解析部１７、チャンネル拡張情報解析部２２、帯域拡張部１８、セレクタ１９、チャンネル拡張部３１、２ｃｈの信号から５．１ｃｈの疑似サラウンド信号に変換する５．１チャンネル疑似サラウンド部２０、セレクタ２１、モード制御部４１、セクションデータを解析するパケット解析部２５、およびＩＤ検出部２７を備える。
【０１２０】
なお、パケット解析部１０は、本発明のデジタル放送受信装置における第一パケット解析部の一例である。また、パケット解析部２５およびＩＤ検出部２７により、本発明のデジタル放送受信装置における第二パケット解析部の処理が実現される。
【０１２１】
アンテナ１０１を介して受信したデジタル放送波は、復調部１０２にて受信処理され、多重化されたＴＳＰ列を出力する。逆多重化部１０３で、受信したＴＳＰ列からは、ＰＥＳデータおよびセクションデータが出力される。
【０１２２】
ＰＥＳデータはパケット解析部１０へ入力され、パケット解析部１０は、当該ＰＥＳデータから、符号化された音声信号である音声符号化信号を含む音声ストリームパケットを取得する。取得された音声ストリームパケットはストリーム情報解析部１１によって解析される。また、ストリーム情報解析部１１から基本信号、ＳＢＲ情報、チャンネル拡張情報およびＳＢＲ情報有無データ、チャンネル拡張情報有無データが出力される。
【０１２３】
基本信号はＡＡＣ２チャンネルデコーダ１２へ、ＳＢＲ情報はＳＢＲ情報解析部１７へ、チャンネル拡張情報はチャンネル拡張情報解析部２２へ出力される。ＳＢＲ情報有無データ、チャンネル拡張情報有無データはともにモード制御部４１へそれぞれ出力される。
【０１２４】
帯域拡張部１８はＡＡＣ２チャンネルデコーダ１２で復号化された基本信号を基にして高域にスペクトルをコピーして帯域拡張する。また、帯域拡張部１８は、ＳＢＲ情報解析部１７の出力を用いてエンベロープのエネルギーが滑らかになるように制御する。チャンネル拡張部３１は少なくとも基本信号を基にチャンネル拡張情報解析部２２の出力を用いてチャンネル拡張を行い５．１チャンネル信号の生成を行う。以上は従来と同様である。
【０１２５】
従来と異なるのは、第１に、パケット解析部２５にてセクションデータから符号化情報を抽出した後、当該符号化情報を、ＩＤ検出部２７に入力して追加種別ＩＤおよび変更予約ＩＤを検出し、検出した追加種別ＩＤおよび変更予約ＩＤをモード制御部４１へ入力するところである。
【０１２６】
追加種別ＩＤおよび変更予約ＩＤの内容としてＳＢＲ情報有無データおよびチャンネル拡張情報有無データに相当する種別ＩＤが含まれるので、これらについてはストリーム情報解析部１１の結果と２重に情報を得ることになる。ただし得られるタイミングが異なる。従来の情報に代えてより確実で早急に判別できる追加種別ＩＤおよび変更予約ＩＤだけとしてももちろん良い。
【０１２７】
モード制御部４１はこれらの情報を基に、音声信号がＳＢＲ付きである場合に帯域拡張された基本信号を選択するようセレクタ１９を制御する。また、モード制御部４１は、音声信号がＭＰＥＧサラウンド付きである場合に５．１チャンネル信号を選択するようセレクタ２１を制御する。
【０１２８】
従来と異なる第２のポイントは、変更予約ＩＤの検出とその利用である。変更予約ＩＤは音声符号化方式の変更点より以前に検出が可能となる。これにより、事前に音声を徐々にフェードアウトしてミュートするためのミュート制御信号をモード制御部４１から音声出力部（図示せず）に出力することができる。また、同時にチャンネル拡張部３１の初期化信号として変更予約ＩＤを出力する。つまり、変更予約ＩＤは、ＭＰＥＧサラウンドのチャンネル拡張モードへ移行した場合の処理を早めるためにも用いられる。
【０１２９】
図７は、本発明に好適なチャンネル拡張部３１の具体的な構成例を示すブロック図である。
【０１３０】
チャンネル拡張部３１の機能的な構成は、従来のチャンネル拡張部１３０の機能的な構成と同じである。しかし、それぞれのフィルタおよび遅延部に初期化信号が与えられるように構成されている。これにより、残存するゴミデータにより異音が発生することが防止され、またそのためにゼロデータなどを印加するなどのシーケンスを不要とする。これにより、新規のデータが得られると直ぐにチャンネル拡張部３１でチャンネル拡張処理を開始できる効果を生じる。
【０１３１】
図８は、本発明の実施の形態のデジタル放送送信装置６０における音声種別変更検出および変更補助処理フローを示すフローチャートである。
【０１３２】
従来と同一または同様のステップは図２１と同符号を付して説明は省略する。
【０１３３】
従来と異なるのは、ステップＳ１１でＰＩＤを設定して選局関連の設定を行った直後に、コンポーネント種別ＩＤおよび変更予約ＩＤの検出判定を行うステップ（Ｓ２２）が追加された点である。より具体的には、Ｓ２２でＹＥＳの場合にはＳ１３からＳ１６までのステップをスキップしてダイレクトにＳ１７へ処理が移行し、音声ミュート処理およびチャンネル拡張部３１の初期化を行うためのパスＰ２２が追加されている。
【０１３４】
このため、従来技術における課題であった、前回の判定結果からの変化を根拠として２チャンネルとＭＰＥＧサラウンドとの判別行うために時間を要していた処理期間が短縮される。
【０１３５】
図９は、本発明の実施の形態の５．１ｃｈシステムにおける２ｃｈから５．１ｃｈへのシーケンスを示すタイミング図である。
【０１３６】
図９のＡ）は音声モードであり、タイミングＴ０１で２チャンネルから５．１チャンネルに切換える。すなわちモード遷移する。
【０１３７】
図９のＢ）は送出される音声ＰＥＳである。タイミングＴ０１まで２チャンネルＡＡＣで、それ以降のモードはＭＰＥＧサラウンドで符号化したデータが送出される。切換え時のミュート（無音）は５００ｍｓから２００ｍｓに短くされている。
【０１３８】
図９のＣ）は送出される種別ＩＤである。タイミングＴ０１まで２／０モード（ステレオ）で、それ以降３／２＋ＬＦＥモード（ＭＰＥＧサラウンド）の種別ＩＤが送出される。
【０１３９】
図９のＤ）は送出される変更予約ＩＤである。タイミングＴ０１に先がけてタイミングＴ００からＭＰＥＧサラウンドの変更が予約されることを示す“０ｘ１７”が送出され、Ｔ０７まで送出が繰り返される。
【０１４０】
図９のＥ）はこのような信号を受信するデジタル放送送信装置６０のデコード処理タイミングを示すものである。デジタル放送送信装置６０は変更予約ＩＤを検出してモードの変更の有無を事前に知る（Ｔ０２）ため、タイミングＴ０２で初期化を開始し、かつ、変更後のＭＰＥＧサラウンドのデコード処理をＴ０４には開始できる。
【０１４１】
図９のＦ）は音声出力の状態を示す図である。初期化に要する時間経過後、タイミングＴ０４からデコード処理遅延後のタイミングＴ０５でデコード処理データが得られ、ミュート解除して再生音を出力出来るようになる。
【０１４２】
図９のＧ）は付加出力としての疑似サラウンド２ｃｈから５．１ｃｈのタイミングである。チャンネル拡張部３１と同様に、５．１チャンネル疑似サラウンド部２０による、フィルタおよび遅延の処理による全体への影響を軽減できる。全体への影響と言うのは、ＭＰＥＧシステムのバッファ制御への負荷が下がることを含むものである。
【０１４３】
図１０は、本発明の実施の形態の５．１ｃｈシステムにおける５．１ｃｈから２ｃｈへのシーケンスを示すタイミング図である。
【０１４４】
各シーケンスは、図９と同様であるので詳細説明を省くが、チャンネル拡張部３１などの初期化のための時間が短縮され全体にミュート時間をさらに短縮できる。
【０１４５】
図１１は、本発明の実施の形態における２チャンネルステレオ信号を再生するデジタル放送受信装置の構成を示すブロック図である。２チャンネルステレオの場合は従来と同様に問題は少ない。
【０１４６】
図１１に示すデジタル放送受信装置８０は、基本的な構成は図６に示すデジタル放送受信装置と同じである。しかし、５．１ｃｈの音声の再生に関する構成要素（５．１チャンネル疑似サラウンド部２０、およびチャンネル拡張部３１）を備えず、２チャンネル疑似サラウンド部２６を備えている。２チャンネル疑似サラウンド部２６はモード制御部４４に制御される。
【０１４７】
図１２は、本発明の実施の形態の２ｃｈシステムにおいて５．１ｃｈ、２ｃｈ、および５．１ｃｈの順にモードが遷移する場合のシーケンスを示すタイミング図である。２チャンネルステレオの場合は従来と同様に問題はない。
【０１４８】
以上のように、本発明は、デジタル放送受信機において、伝送される音声信号の符号化方式に応じた処理判断を短時間で行うことを可能とした、デジタル放送送信装置、デジタル放送受信装置、およびデジタル放送送受信システムを提供することを可能とする。
【０１４９】
なお、本発明を上記実施の形態に基づいて説明してきたが、本発明は、上記の実施の形態に限定されないのはもちろんである。以下のような場合も本発明に含まれる。
【０１５０】
（１）本発明は、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、蓄積メモリユニット、ディスプレイ、およびマンマシンインターフェースなどから構成されるコンピュータシステムによって実現してもよい。動的あるいは固定的に蓄積されるコンピュータプログラムにしたがって動作することにより、各装置は、その機能を達成するよう構成されたものである。
【０１５１】
（２）上記の各装置（６０、７０、８０）を構成する構成要素の一部または全部は、システムＬＳＩから構成されているとしてもよい。具体的には、マイクロプロセッサ、ＲＯＭ、ＲＡＭなどを含んで構成されるコンピュータシステムである。コンピュータプログラムが記憶され、前記コンピュータプログラムにしたがって動作することにより、システムＬＳＩは、その機能を達成する。
【０１５２】
（３）本発明は、脱着可能なＩＣカードまたは単体のモジュールから構成されているとしてもよい。前記ＩＣカードまたは前記モジュールは、マイクロプロセッサ、ＲＯＭ、ＲＡＭなどを含んで構成されるコンピュータシステムである。コンピュータプログラムが記憶され、前記コンピュータプログラムにしたがって動作することにより、その機能を達成する。
【０１５３】
（４）本発明は、本発明のデジタル放送送信装置およびデジタル放送受信装置それぞれによって実行される処理を含む方法として実現してもよい。また、これらの方法をコンピュータにより実現するコンピュータプログラムであるとしてもよいし、前記コンピュータプログラムからなるデジタル信号であるとしてもよい。
【０１５４】
さらに、本発明は、これらプログラムのそれぞれが記録された記録媒体として実現することもできる。
【産業上の利用可能性】
【０１５５】
本発明は、音声、映像および文字等の情報をデジタル方式で伝送するデジタル放送伝送システム、並びに、デジタル放送伝送システムを構成するデジタル放送送信装置およびデジタル放送受信装置に適し、特に、デジタルテレビ、セットトップボックス、カーナビゲーションシステム、携帯型ワンセグテレビなどの、デジタル放送受信装置に適している。
【符号の説明】
【０１５６】
１０、２５、１１０、１２５  パケット解析部
１１、１１１  ストリーム情報解析部
１２、１１２  ＡＡＣ２チャンネルデコーダ
１７、１１７  ＳＢＲ情報解析部
１８、１１８  帯域拡張部
１９、２１、１１６、１１９、１２１  セレクタ
２０、１２０  ５．１チャンネル疑似サラウンド部
２２、１２２  チャンネル拡張情報解析部
２６  ２チャンネル疑似サラウンド部
２７  ＩＤ検出部
３１、１３０  チャンネル拡張部
４１、４４、１４１  モード制御部
４２、１４２  シーケンス制御部
５０、１５０  音声信号入力切換部
５１、１５１  音声信号符号化部
５２、５４、１５２、１５４  パケット化部
５５、１５５  多重化部
５６、１５６  変調部
５７  コンポーネント記述子更新部
６０    デジタル放送送信装置
７０、８０    デジタル放送受信装置
１０１    アンテナ
１０２    復調部
１０３    逆多重化部
１１３    ＡＡＣ５．１チャンネルデコーダ
１１４    ダウンミクシング係数解析部
１１５    ダウンミクシング合成部
１５３    記述子符号化部
【図１】
2011027494.tif 000003
【図２】
2011027494.tif 000004
【図３】
2011027494.tif 000005
【図４Ａ】
2011027494.tif 000006
【図４Ｂ】
2011027494.tif 000007
【図５】
2011027494.tif 000008
【図６】
2011027494.tif 000009
【図７】
2011027494.tif 000010
【図８】
2011027494.tif 000011
【図９】
2011027494.tif 000012
【図１０】
2011027494.tif 000013
【図１１】
2011027494.tif 000014
【図１２】
2011027494.tif 000015
【図１３】
2011027494.tif 000016
【図１４】
2011027494.tif 000017
【図１５】
2011027494.tif 000018
【図１６Ａ】
2011027494.tif 000019
【図１６Ｂ】
2011027494.tif 000020
【図１６Ｃ】
2011027494.tif 000021
【図１６Ｄ】
2011027494.tif 000022
【図１６Ｅ】
2011027494.tif 000023
【図１７】
2011027494.tif 000024
【図１８】
2011027494.tif 000025
【図１９】
2011027494.tif 000026
【図２０】
2011027494.tif 000027
【図２１】
2011027494.tif 000028
【図２２】
2011027494.tif 000029
【図２３】
2011027494.tif 000030
【手続補正書】
【提出日】平成23年12月1日(2011.12.1)
【手続補正１】
【補正対象書類名】明細書
【補正対象項目名】全文
【補正方法】変更
【補正の内容】
【発明の詳細な説明】
【技術分野】
【０００１】
本発明は、地上波や衛星波を含む伝送路を介して、少なくとも音声の情報をデジタル方式で伝送するデジタル放送伝送システム、伝送に使用するデジタル放送送信装置、及び、デジタル放送受信装置に関する。
【背景技術】
【０００２】
近年、地上波または衛星波を含む伝送路を介して、音声、映像および文字等の情報をデジタル信号として伝送するデジタル放送がさらに発展しつつある。
【０００３】
デジタル信号を伝送する方式としては、ＩＳＯ／ＩＥＣ１３８１８−１で提案された方式がよく知られている。ＩＳＯ／ＩＥＣ１３８１８−１では、送信側で、各番組の音声、映像およびデータ毎に符号化されたデジタル信号を多重化して伝送し、受信側で、指定の番組を受信し再生するための制御について方式が定められている。
【０００４】
符号化された音声信号および映像信号は所定の時間で区切られ、再生時間情報などを含むヘッダ情報を付加されて、ＰＥＳ（Ｐａｃｋｅｔｉｚｅｄ  Ｅｌｅｍｅｎｔａｒｙ  Ｓｔｒｅａｍ）と呼ばれるパケットを構成する。
【０００５】
さらにＰＥＳは、基本的に１８４バイト毎に区切られ、パケット識別子と呼ばれる識別のためのＩＤ（ＰＩＤ）などを含むヘッダ情報を付加されて、ＴＳＰ（トランスポートパケット／Ｔｒａｎｓｐｏｒｔ  Ｐａｃｋｅｔ）と呼ばれるパケットに再構成され多重化される。
【０００６】
また、ＰＳＩ（Ｐｒｏｇｒａｍ  Ｓｐｅｃｉｆｉｃ  Ｉｎｆｏｒｍａｔｉｏｎ）と呼ばれる、番組と、番組を構成するパケットとの関係を表すテーブル情報も音声信号および映像信号のＴＳＰに多重化される。
【０００７】
ＰＳＩとしては、ＰＡＴ（Ｐｒｏｇｒａｍ  Ａｓｓｏｃｉａｔｉｏｎ  Ｔａｂｌｅ）、およびＰＭＴ（Ｐｒｏｇｒａｍ  Ｍａｐ  Ｔａｂｌｅ）など４種類のテーブルが規定される。
【０００８】
ＰＡＴには各番組に対応するＰＭＴのＰＩＤが記述され、ＰＭＴには対応する番組を構成する音声や映像信号などが格納されたパケットのＰＩＤが記述されている。
【０００９】
受信機は、ＰＡＴとＰＭＴを参照することで、複数の番組が多重化されたＴＳＰの中から、目的の番組を構成するパケットを取出す。なお、データパケットおよびＰＳＩは、ＰＥＳとは異なるセクションと呼ばれる形式でＴＳＰ内に格納される。
【００１０】
ＰＥＳパケットから、ヘッダなどを取り除いてデータだけを抽出すると、例えば、ＭＰＥＧ−２  ＡＡＣのストリームを得ることができる。
【００１１】
音声信号の符号化方式としては、ＩＳＯ／ＩＥＣ  １３８１８−７（ＭＰＥＧ−２  Ａｕｄｉｏ  ＡＡＣ）がある。
【００１２】
デジタル放送で使用するＡＡＣ規格の場合、現行のサービスとしては５．１チャンネルに対応している。日本のデジタル放送においては、社団法人電波産業会が発行するＡＲＩＢ標準規格および運用規定があり、具体的な方式、パラメータおよび運用の規定について詳細に定めている。
【００１３】
図１３は、既定の音声コンポーネントの種別を示す図である。同図に示される２／０モード（ステレオ）が一般的に使用され、サラウンド放送では３／２＋ＬＦＥモードを使用していわゆる５．１チャンネルサラウンド放送が実施される。
【００１４】
図１４は、従来のデジタル放送送信装置のブロック図である。特に２チャンネルステレオ放送とサラウンド放送との切換えに関連する機能に注目したブロック図である。
【００１５】
図１４に示す従来のデジタル放送送信装置は、シーケンス制御部１４２、音声信号入力切換部１５０、音声信号符号化部１５１、パケット化部１５２、記述子符号化部１５３、パケット化部１５４、多重化部１５５、および変調部１５６を備える。
【００１６】
マニュアルまたは送出プログラミングによる切換え指示がシーケンス制御部１４２に入力される。シーケンス制御部１４２は切換え点を定めて音声信号入力切換部１５０を制御して入力信号を２チャンネルステレオから５．１チャンネル信号に切換える。
【００１７】
それぞれの信号は音声信号符号化部１５１でＭＰＥＧ−２  ＡＡＣ方式に符号化される。５．１チャンネルの場合はＭＰＥＧ−２  ＡＤＴＳ固定ヘッダで“３／２＋ＬＦＥ”を示すとともにＰＣＥ（Ｐｒｏｇｒａｍ  Ｃｏｎｆｉｇｕｒａｔｉｏｎ  Ｅｌｅｍｅｎｔ）でダウンミクシング係数の伝送を行う。これらは音声信号ストリームに包含されている。
【００１８】
図１５は、５．１チャンネルサラウンド放送を受信するための従来の受信装置の一例を示すブロック図である。
【００１９】
図１５に示す従来の受信装置は、アンテナ１０１、復調部１０２、逆多重化部１０３、パケット解析部１１０、ストリーム情報解析部１１１、ＡＡＣ２チャンネルデコーダ１１２、ＡＡＣ５．１チャンネルデコーダ１１３、ダウンミクシング係数解析部１１４、ダウンミクシング合成部１１５、パケット解析部１２５、およびセレクタ１１６を備える。
【００２０】
図１５に示す受信装置においては、一般的なテレビ受像機の音声再生は通常２チャンネルステレオであるため、５．１チャンネルサラウンド放送を一旦デコード処理した後で、２チャンネルステレオ信号にダウンミクシングする構成としている。
【００２１】
図１５において、アンテナ１０１から受信した放送波から、復調部１０２で復調してトランスポートストリームを再生し、逆多重化部１０３でそれぞれの形式に応じて区分けする。その内のセクションデータはパケット解析部１２５で解析してＰＡＴ／ＰＭＴを取り出し番組情報などとして利用し、ＰＥＳデータはパケット解析部１１０で解析し選択したストリームを取り出す。
【００２２】
パケット解析部１１０で解析し選択したストリームはストリーム情報解析部１１１でさらに解析して、ＡＡＣのヘッダ、基本信号、およびその他に区分けする。ヘッダに２チャンネルステレオのＩＤがあれば、基本信号はＡＡＣ２チャンネルデコーダ１１２で２チャンネルステレオ信号にデコード処理され、ヘッダに５．１チャンネルサラウンドのＩＤがあれば、ＡＡＣ５．１チャンネルデコーダ１１３で５．１チャンネル信号にデコード処理される。
【００２３】
デコード処理された５．１チャンネル信号はダウンミクシング合成部１１５で５．１チャンネルから２チャンネルにダウンミクシングされる。この時ダウンミクシングに必要なダウンミクシング係数はストリームヘッダのＰＣＥに埋め込まれたものを使用する。それぞれの場合に応じてデコード処理、ダウンミクシングされた２チャンネルステレオ信号はセレクタ１１６で選択され２チャンネルステレオ信号として出力される。
【００２４】
このように従来のＡＡＣ５．１チャンネル方式の場合は、２チャンネル再生の受信機で受けるために、一旦５．１チャンネルのデコード処理をしてから、それらをダウンミクシングして２チャンネル信号に変換する必要があった。そのため、特に省電力を必要とするポータブル機器にとってはかえって処理量が増大するため不向きであった。
【００２５】
そこで従来のＡＡＣを拡張したもので、２チャンネルダウンミックスにより低レート化したビットストリームを基本信号とし、これに付加情報を加えることによって、マルチチャンネル再生を可能とする方式が新たに提案されている。
【００２６】
例えば、マルチチャンネルから２チャンネルにダウンミックスした基本信号に、チャンネル間のレベル差や位相差情報を付加することで、９６ｋｂｐｓ程度で５．１チャンネルサラウンド再生を可能とするＭＰＥＧサラウンド方式が存在する。これはＩＳＯ／ＩＥＣ  ２３００３−１として標準化された方式である。
【００２７】
ＭＰＥＧサラウンド方式は、基本信号がダウンミクシング信号であるため、従来機器でも特に問題なく再生できるコンパチビリティがある上に、ＡＡＣ５．１チャンネルに比べても低レートで同じ程度の音質が実現できる特長がある。
【００２８】
このため、ＭＰＥＧサラウンド方式は、新たなシステムへの採用が検討されている。特に低ビットレートを主体とする地上デジタルテレビのワンセグ放送やデジタルラジオの実用化試験放送の１セグメント放送などでは、これまでＡＡＣ５．１チャンネルを放送しようとしてもビットレートが不足するため出来なかった。しかし、９６ｋｂｐｓ程度から可能なＭＰＥＧサラウンド方式の採用によって、ワンセグと同程度のビットレートで本格的なサラウンド放送を実用化する可能性がでてきた。
【００２９】
このＭＰＥＧサラウンド方式は、日本において２０１１年以降ＶＨＦ帯を用いて検討がなされているマルチメディア放送にも適するものと考えられる。この場合５．１チャンネルサラウンド放送には従来のＡＡＣ５．１チャンネルに代えてＭＰＥＧサラウンド方式が採用される可能性が高い。
【００３０】
図１６Ａ〜図１６Ｅは、ＡＡＣ、ＡＡＣ＋ＳＢＲ（Ｓｐｅｃｔｒａｌ  Ｂａｎｄ  Ｒｅｐｌｉｃａｔｉｏｎ：スペクトル帯域拡張）、ＭＰＥＧサラウンドの各フォーマット構成、および基本信号であるＡＡＣ２チャンネル信号のみを取り出す装置の構成の一部を示すブロック図である。図中の“ヘッダ”はＭＰＥＧ−２  ＡＡＣのＡＤＴＳ固定ヘッダのことである。また図中の“Ｃｈ”および“ｃｈ”はチャンネルの略語として用いる。このことは他の図でも同様とする。
【００３１】
図１６Ａは、通常のＭＰＥＧ−２  ＡＡＣのフレーム構造を示す図である。図１６Ｂは、ＭＰＥＧ−２  ＡＡＣで表される基本信号にＳＢＲ方式で表される高域周波数情報を付加したフレーム構造を示す図である。
【００３２】
図１６Ｃは、ＭＰＥＧ−２  ＡＡＣで表される基本信号にチャンネル拡張情報を付加したＭＰＥＧサラウンドのフレーム構造を示す図である。
【００３３】
図１６Ｄは、ＭＰＥＧ−２  ＡＡＣで表される基本信号にＳＢＲ方式で表される高域周波数情報とチャンネル拡張情報を付加したＭＰＥＧサラウンドのフレーム構造を示す図である。
【００３４】
図１６Ｅは、受信したデータから基本信号であるＡＡＣ２チャンネル信号のみを取り出す装置の構成の一部を示すブロック図である。
【００３５】
日本の放送では、基本信号としてはＭＰＥＧ−２  ＡＡＣの２チャンネルステレオが使用される。ＭＰＥＧ−２  ＡＡＣの拡張方式であるＡＡＣ＋ＳＢＲおよびＭＰＥＧサラウンド方式は、ともに基本信号の上に拡張情報を付加したフォーマット構造を有する。
【００３６】
これらのフレーム構成を有するデータ列はバースト状のストリームとして伝送される。
【００３７】
図１６Ａ〜図１６Ｄに示すいずれの方式においても、ヘッダおよび基本信号部のフォーマット構成は共通である。従来のＭＰＥＧ−２  ＡＡＣのフレーム構造では、図１６Ａのように、基本信号の後はヌルデータなどで埋められるパディング領域である。そのため、ＭＰＥＧ−２  ＡＡＣに対応する従来のデコーダであれば、図１６Ａ〜図１６Ｄのいずれのデータが入力された場合でも、ヘッダおよび基本信号部のフォーマット構成が共通であるために、ＭＰＥＧ−２  ＡＡＣの基本信号部だけは少なくとも再生することができるコンパチビリティを有する。
【００３８】
さらに図１６Ｅに記載の、基本信号である２チャンネル信号のみを取り出す装置について説明する。図１６Ｅにおいて、図１５に示すブロックと同じ機能を有するブロックは同符号とし簡単のため説明を略す。ＡＡＣ２チャンネルデコーダ１１２は図１６Ａ〜図１６Ｄに示す何れの信号であっても基本信号のみをデコード処理しＭＰＥＧ−２  ＡＡＣの２チャンネルステレオを再生し出力する。
【００３９】
図１７は、従来の各種受信機のデコード処理を一覧にまとめて示す図である。
【００４０】
図１７には２つのタイプの受信機について例示している。これまで説明した２チャンネル再生専用機と５．１チャンネル再生受信機である。
【００４１】
２チャンネル再生専用機としてはポータブル機器を想定するが高音質とするためのＳＢＲにも対応する。５．１チャンネル再生受信機としては車載型のチューナを想定し、５．１チャンネルサラウンド放送を受信する場合は少なくとも５＋１個のスピーカーでサラウンド音場を楽しむことができる。また２チャンネルステレオ放送の場合は従来通り２チャンネルステレオでも楽しめるが、５．１チャンネルの疑似サラウンドとするための処理を加えて共通のスピーカーユニットを利用しても良い。
【００４２】
図１８は、従来の５．１チャンネル再生専用受信装置の一例を示すブロック図である。図１８において、ストリーム情報解析部１１１からは基本信号、ＳＢＲ情報、チャンネル拡張情報、ＳＢＲ情報有無データ、およびチャンネル拡張情報有無データが出力される。
【００４３】
基本信号はＡＡＣ２チャンネルデコーダ１１２へ、ＳＢＲ情報はＳＢＲ情報解析部１１７へ、チャンネル拡張情報はチャンネル拡張情報解析部１２２へそれぞれ出力される。ＳＢＲ情報有無データ、およびチャンネル拡張情報有無データはともにモード制御部１４１へそれぞれ出力される。
【００４４】
帯域拡張部１１８はＡＡＣ２チャンネルデコーダ１１２で復号化された基本信号を基にして高域にスペクトルをコピーして帯域拡張する。また、帯域拡張部１１８は、ＳＢＲ情報解析部１１７の出力を用いてエンベロープのエネルギーが周波数軸上で滑らかになるように制御する。
【００４５】
チャンネル拡張部１３０は基本信号を基にチャンネル拡張情報解析部１２２の出力を用いてチャンネル拡張を行い５．１チャンネル信号を生成する。モード制御部１４１はＳＢＲ情報有無データが有る場合に帯域拡張された基本信号を選択するようセレクタ１１９を制御する。また、モード制御部１４１はチャンネル拡張情報有無データが有る場合に５．１チャンネル信号を選択するようセレクタ１２１を制御する。セレクタ１１９の２チャンネル信号は５．１チャンネル疑似サラウンド部１２０で疑似サラウンド信号に変換されてセレクタ１２１へ出力される。このような構成は、例えば車載型の受信機に適用される。
【００４６】
図１９は、従来のチャンネル拡張部１３０の構成の一例を示すブロック図である。
【００４７】
詳細説明は簡単のために略すが、メインのパスに実数係数ＱＭＦ分析フィルタ３０１、ナイキスト分析フィルタ３０４、ナイキスト合成フィルタ３０７、実数係数ＱＭＦ合成フィルタ３１０および遅延部３０２、３０８など、多くのフィルタおよび遅延要素を含む。そのため、処理時間が数１０ｍｓ〜数１００ｍｓかかる。
【００４８】
なお、チャンネル拡張部１３０は、これら構成要素に加え、実数複素数変換部３０３および３０９を備えている。
【００４９】
図２０は、従来の５．１チャンネル疑似サラウンド部１２０の一例を示すブロック図である。５．１チャンネル疑似サラウンド部１２０では、入力される２チャンネル基本信号にサイド情報が含まれていないため、相関検出部２０１で２チャンネル基本信号からチャンネル間の相関検出を行って、マトリックス分配・合成部２０２およびリバーブエコーフィルタ処理部２０３を制御して５．１チャンネル信号を生成する。
【００５０】
図２１は、従来の受信機の音声種別変更検出および変更補助処理フローを示すフローチャートである。
【００５１】
図２１において、まず、受信機は、ステップＳ１１でＰＩＤを設定して選局関連の設定を行う。
【００５２】
受信機は、音声パケット受信かどうかをステップＳ１３で判定しながら音声パケットのみを取り出してヘッダ情報解析のステップＳ１４へ移行する。ステップＳ１４においては、受信機は、ヘッダ情報を解析してプロファイルおよび標本化周波数などを判別するが、２チャンネルとＭＰＥＧサラウンドの判別はここでは未だつかない。
【００５３】
受信機は、ステップＳ１５で基本信号としてのＡＡＣ２チャンネルデータ処理を行う。次に、受信機は、ステップＳ１６において基本信号の後に続く領域にチャンネル拡張情報があるかどうかを判定する。この判定のためには前回の判定結果からの変化を根拠とするため少なくとも送出周期以上の時間を要する。エラーが想定される場合の確実な判定は繰り返し回数に比例してその確度が高まることになる。変更がなければステップＳ１３へ戻る。変更があれば、受信機は、速やかに音声ミュート処理およびチャンネル拡張部１３０の初期化を行う（ステップＳ１７）。受信機は、異音の発生する可能性のある時間に対して、適切なマージンをみて所定時間ウェイトし、ミュートを保持する（ステップＳ１８）。次に受信機は、音声デミュート（ミュート解除）を行って再生信号の出力を行う（ステップＳ１９）。
【先行技術文献】
【特許文献】
【００５４】
【特許文献１】国際公開第２００８／１１７５２４号
【非特許文献】
【００５５】
【非特許文献１】ＩＳＯ／ＩＥＣ  １３８１８−１
【非特許文献２】ＩＳＯ／ＩＥＣ  １３８１８−７（ＭＰＥＧ−２  Ａｕｄｉｏ  ＡＡＣ）
【非特許文献３】ＭＰＥＧサラウンド規格書：ＩＳＯ／ＩＥＣ  ２３００３−１
【非特許文献４】ＡＲＩＢ規格書：ＡＲＩＢ  ＳＴＤ−Ｂ１０
【非特許文献５】ＡＲＩＢ規格書：ＡＲＩＢ  ＡＲＩＢ  ＳＴＤ−Ｂ３２
【発明の概要】
【発明が解決しようとする課題】
【００５６】
以上のように、ＭＰＥＧサラウンド方式のデータは、２チャンネル機器にとってはチャンネル拡張部分を無視するだけで基本信号の２チャンネルが再生できるメリットがあるため、ＭＰＥＧサラウンド方式は、ポータブル機器などにも適する優れた方式である。このために、ＭＰＥＧサラウンド方式では、基本信号だけでなくヘッダも２チャンネルＡＡＣと全く同じ構成としてレガシーの２チャンネル機器が誤動作しないようにしている。すなわち差があるのはチャンネル拡張領域の有無だけである。
【００５７】
このことは、フォーマットの判別が不要な２チャンネル機器にとっては好都合である反面、５．１チャンネル機器にとっては必ずしも都合が良くない。これは、フォーマットの判別が早急に必要な場合であっても、ヘッダ解析からはフォーマットの判別がつかないためである。基本信号の後に続く領域にチャンネル拡張情報があるかどうかを繰り返し判定するために相当時間を要してしまう。
【００５８】
図２２は、従来の５．１チャンネル受信機における２ｃｈから５．１ｃｈへのシーケンスを説明するタイミング図である。
【００５９】
図２２のＡ）は音声モードの変化を示しており、タイミングＴ０１で２チャンネルから５．１チャンネルに切換えられている。すなわち５．１チャンネルモードに遷移する。
【００６０】
図２２のＢ）は送出される音声ＰＥＳの変化を示している。タイミングＴ０１まで２チャンネルＡＡＣで符号化したデータが送出され、それ以降はＭＰＥＧサラウンドで符号化したデータが送出される。日本のデジタル放送においては、ＡＲＩＢ規格ＡＲＩＢ  ＳＴＤ−Ｂ３２において、音声パラメータの切換え時に５００ｍｓのミュート（無音）を入れるよう規定されている。そのため、タイミングＴ０１からタイミングＴ０３までの間は無音データが送出されることになる。
【００６１】
図２２のＥ）はこのような信号を受信する受信機のデコード処理タイミングを示すものである。受信機はモードの変更の有無を検出し判別するまでに所定の時間を要するため、タイミングＴ０２でモードの変更の有無を検出し、それから音声ミュート処理およびチャンネル拡張部１３０の初期化を行う（図２１のＳ１７に相当）。
【００６２】
図２２のＦ）は受信機からの音声出力の変化を示している。受信機は、デコーダの初期化に要する所定の時間経過後のタイミングＴ０４からデコード処理を始め、デコーダ遅延時間経過後のタイミングＴ０５で初めてデコード処理データが得られる。これにより、ミュートを解除して再生音を出力できるようになる。
【００６３】
放送送出側では、切換え時のミュート時間経過後のタイミングＴ０３から次のプログラムの音声を出力し始める。すなわちタイミングＴ０３がプログラムの頭になる。このタイミングＴ０３からデコード遅延を経過するタイミングＴ０６が受信再生の頭出しのポイントとなる。
【００６４】
タイミングＴ０２の時間的な位置は、放送波の受信品質によってはモード変更の有無を判別するために時間を要することなどに起因して大きく変わる。Ｔ０２が図のように遅れて、結果としてタイミングＴ０５がタイミングＴ０６より遅れると、遅れた分の時間だけプログラムの頭の音声がとぎれる。
【００６５】
すなわちタイミングＴ０６からタイミングＴ０５までの間とぎれることになる。また、送出側でミュートする５００ｍｓの部分であっても受信エラーで無音データが雑音に化けることも想定される。そのため、受信側でモード変更を検出してミュートを開始するまでの間は異音のおそれが残る。
【００６６】
図２３は、従来の５．１チャンネル受信機の５．１ｃｈから２ｃｈへのシーケンスを説明するタイミング図である。図２２とほぼ同様であるため説明は省略する。チャンネル拡張部１３０の初期化に要する時間が不要であるので若干問題は減少するものの、同様な問題が生じる。
【００６７】
新たに開発されたＭＰＥＧサラウンド方式が放送方式に採用されると仮定すると、ＭＰＥＧサラウンド方式と従来のＭＰＥＧ−２  ＡＡＣ２チャンネル方式とを共存して運用する形態になると考えられる。
【００６８】
マルチメディア放送では、それらを時間単位あるいはプログラム単位で選択して放送することになる。例えば野球の実況放送では臨場感を提供するためＭＰＥＧサラウンド方式を用いて、途中に挿入するコマーシャル放送は一般的なＡＡＣ２チャンネルを用いる場合などである。
【００６９】
この時、切換え時の問題がある。元々繋ぎ目なしの連続出音は困難なので多少の無音（ミュート）時間が入ることは避けられない。しかし、それ以上に受信装置で切換えに要する検出時間が長くなるとミュート制御関連のタイミングが遅れるために、切換え後のプログラムのスタート部分が無音になる頭切れが発生する恐れがあり、最悪の場合は異音が発生する恐れがある。
【００７０】
本発明は、前記従来の課題を解決するもので、デジタル放送受信機において、伝送される音声信号の符号化方式に応じた処理判断を短時間で行うことを可能とした、デジタル放送送信装置、デジタル放送受信装置、およびデジタル放送送受信システムを提供することを目的とする。
【課題を解決するための手段】
【００７１】
課題を解決するために、本発明の一態様に係るデジタル放送送信装置は、入力される音声信号を符号化して音声符号化信号へ変換し、変換後の音声符号化信号を含む音声ストリームパケットを生成することでＰＥＳデータを生成するパケット生成部と、音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、更新したコンポーネント記述子をパケット化することでセクションデータを生成するパケット化部と、前記ＰＥＳデータと前記セクションデータとを多重化する多重化部と、前記多重化部から得られる多重化したデータを変調して送信する変調部とを備える。
【００７２】
上記本態様に係るデジタル放送送信装置によれば、本態様のデジタル放送送信装置から送信されたデータを受信するデジタル放送受信装置で、ＭＰＥＧサラウンド放送であることの判別に要する時間が短縮でき、ストリームの解析を待つことなく確実に判別できる。そのため、当該デジタル放送受信装置では、例えばＡＡＣ２チャンネルモードから５．１チャンネルモードに切換えられた場合であっても、デコード処理の切換えおよびミュート処理が短時間に実行できる効果がある。
【００７３】
また、本発明の一態様に係るデジタル放送送信装置は、さらに、マニュアルまたは送出プログラミングによる指示によって、前記音声コンポーネント種別の変更点を決定し、前記変更点の所定の前後時間において変更予約ＩＤが出力されるように前記記述子更新部を制御するシーケンス制御部を備えるとしてもよい。
【００７４】
これに対応する受信機では事前に変更ポイントを知ることが出来るので、デコード処理やミュート処理のタイミングをさらに早められる。ひいては異音の保護のために変更時に挿入する無音の時間をシステム的に短縮することができる。
【００７５】
また、本発明の一態様に係るデジタル放送送信装置において、前記シーケンス制御部は、前記変更予約ＩＤが送出される間の音声が無音となるように前記パケット生成部を制御するとしてもよい。
【００７６】
また、本発明の一態様に係るデジタル放送送信装置において、前記シーケンス制御部は、前記変更予約ＩＤの送出の開始のタイミングが、前記変更点よりも５００ミリ秒前から１ミリ秒前までのいずれかのタイミングとなるように、前記記述子更新部を制御するとしてもよい。
【００７７】
また、本発明の一態様に係るデジタル放送受信装置は、少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、前記多重化放送を受信する受信部と、受信した前記多重化放送のデータである多重化データに含まれるＰＥＳデータから、符号化された音声信号である音声符号化信号を含む音声ストリームパケットを取得する第一パケット解析部と、前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部とを備える。
【００７８】
上記態様にかかるデジタル放送受信装置によれば、ＭＰＥＧサラウンド放送であることの判別に要する時間が短縮でき、ストリームの解析を待つことなく確実に判別できる。そのため、当該デジタル放送受信装置では、ＡＡＣ２チャンネルモードから切換えられた場合であっても、デコード処理の切換えおよびミュート処理が短時間に実行できる効果がある。さらに、事前に変更ポイントを知ることが出来るのでデコード処理の初期化やミュート処理のタイミングを早められる。
【００７９】
また、本発明の一態様に係るデジタル放送受信装置において、前記第二パケット解析部が変更予約ＩＤを検出した場合、音声をミュートするためのミュート制御信号を出力するモード制御部を備えるとしてもよい。
【００８０】
また、本発明は、本発明の一態様に係るデジタル放送送信装置、および、本発明の一態様に係るデジタル放送受信装置を備えるデジタル放送送受信システムとして実現することもできる。
【００８１】
また、本発明は、本発明の一態様に係るデジタル放送送信装置が実行する処理を含むデジタル放送送信方法として実現することもできる。
【００８２】
また、本発明は、本発明の一態様に係るデジタル放送受信装置が実行する処理を含むデジタル放送受信方法として実現することもできる。
【００８３】
また、本発明は、本発明の一態様に係るデジタル放送送信方法、および、本発明の一態様に係るデジタル放送受信方法のそれぞれをコンピュータに実行させるプログラムとして実現することもできる。これらプログラムのそれぞれは、当該プログラムが記録された記録媒体として実現することもできる。そして、当該プログラムをインターネット等の伝送媒体又はＤＶＤ等の記録媒体を介して配信することもできる。
【００８４】
また、本発明は、本発明の一態様に係るデジタル放送送信装置が備える構成要素を含む１つまたは複数の集積回路として実現することもできる。
【００８５】
また、本発明は、本発明の一態様に係るデジタル放送受信装置が備える構成要素を含む１つまたは複数の集積回路として実現することもできる。
【発明の効果】
【００８６】
本発明によれば、デジタル放送受信機において、伝送される音声信号の符号化方式に応じた処理判断を短時間で行うことを可能とした、デジタル放送送信装置、デジタル放送受信装置、およびデジタル放送送受信システムを提供できる。
【図面の簡単な説明】
【００８７】
【図１】図１は、本発明の実施の形態におけるデジタル放送送信装置の構成を示すブロック図である。
【図２】図２は、本発明の実施の形態におけるデジタル放送送信装置における音声出力切換えの一例を示すフローチャートである。
【図３】図３は、本発明の実施の形態のデジタル放送送信装置における音声出力切換え（２ｃｈから５．１ｃｈ）の一例を示すタイミングチャートである。
【図４Ａ】図４Ａは、本発明の実施の形態において、音声コンポーネント記述子に追加する種別ＩＤの一覧を示す図表である。
【図４Ｂ】図４Ｂは、本発明の実施の形態において、音声コンポーネント記述子に追加するモードの変更予約ＩＤの一覧を示す図表である。
【図５】図５は、本発明の実施の形態における、音声のモード変更例を説明する遷移図である。
【図６】図６は、本発明の実施の形態におけるデジタル放送送信装置の放送を受信して５．１チャンネル信号を再生するデジタル放送受信装置の構成を示すブロック図である。
【図７】図７は、本発明に好適なチャンネル拡張部の具体的な構成例を示すブロック図である。
【図８】図８は、本発明の実施の形態のデジタル放送送信装置における音声種別変更検出および変更補助処理フローを示すフローチャートである。
【図９】図９は、本発明の実施の形態の５．１ｃｈシステムにおける２ｃｈから５．１ｃｈへのシーケンスを示すタイミング図である。
【図１０】図１０は、本発明の実施の形態の５．１ｃｈシステムにおける５．１ｃｈから２ｃｈへのシーケンスを示すタイミング図である。
【図１１】図１１は、本発明の実施の形態における２チャンネルステレオ信号を再生するデジタル放送受信装置の構成を示すブロック図である。
【図１２】図１２は、本発明の実施の形態の２ｃｈシステムにおいて５．１ｃｈ、２ｃｈ、および５．１ｃｈの順にモードが遷移する場合のシーケンスを示すタイミング図である。
【図１３】図１３は、既定の音声コンポーネントの種別を示す図表である。
【図１４】図１４は、従来のデジタル放送送信装置のブロック図である。
【図１５】図１５は、５．１チャンネルサラウンド放送を受信するための従来の受信装置の一例を示すブロック図である。
【図１６Ａ】図１６Ａは、通常のＭＰＥＧ−２  ＡＡＣのフレーム構造を示す図である。
【図１６Ｂ】図１６Ｂは、ＭＰＥＧ−２  ＡＡＣで表される基本信号にＳＢＲ方式で表される高域周波数情報を付加したフレーム構造を示す図である。
【図１６Ｃ】図１６Ｃは、ＭＰＥＧ−２  ＡＡＣで表される基本信号にチャンネル拡張情報を付加したＭＰＥＧサラウンドのフレーム構造を示す図である。
【図１６Ｄ】図１６Ｄは、ＭＰＥＧ−２  ＡＡＣで表される基本信号にＳＢＲ方式で表される高域周波数情報とチャンネル拡張情報を付加したＭＰＥＧサラウンドのフレーム構造を示す図である。
【図１６Ｅ】図１６Ｅは、受信したデータから基本信号であるＡＡＣ２チャンネル信号のみを取り出す装置の構成の一部を示すブロック図である。
【図１７】図１７は、従来の各種受信機のデコード処理をまとめて示す図である。
【図１８】図１８は、従来の５．１チャンネル再生専用受信装置の一例を示すブロック図である。
【図１９】図１９は、従来のチャンネル拡張部の一例を示すブロック図である。
【図２０】図２０は、従来の５．１チャンネル疑似サラウンド部の一例を示すブロック図である。
【図２１】図２１は、従来の受信機の音声種別変更検出および変更補助処理フローを示すフローチャートである。
【図２２】図２２は、従来の５．１チャンネル受信機における２ｃｈから５．１ｃｈへのシーケンスを説明するタイミング図である。
【図２３】図２３は、従来の５．１チャンネル受信機の５．１ｃｈから２ｃｈへのシーケンスを説明するタイミング図である。
【発明を実施するための形態】
【００８８】
以下、本発明の実施の形態について、図面を参照しながら説明する。なお、本実施の形態では、音声符号化方式にＭＰＥＧサラウンドを用いたデジタル放送伝送システムを例にとり説明する。
【００８９】
本実施の形態では、ＭＰＥＧ規格を一部修正して新たなコンポーネント種別データの記述子を伝送するための追加を行うことを前提としている。しかし、ＭＰＥＧ規格の修正ができない場合であっても事業者規定として割り当てられている領域があるので、この領域をＡＲＩＢ規格で新たに規定することができる。この場合、ＭＰＥＧ規格を一部修正する場合と、標準化の範囲は異なることになるが、全く同様の情報伝送ができるので、どちらの場合も本発明の作用効果は同一である。
【００９０】
図１は、本発明の実施の形態におけるデジタル放送送信装置の構成を示すブロック図である。
【００９１】
デジタル放送送信装置６０は、音声信号に関して符号化情報パケットを生成し、生成した符号化情報パケットにコンポーネント種別データとしてＭＰＥＧサラウンドの種別ＩＤおよび変更予約ＩＤ情報を記述して音声信号に併せて伝送する送信装置である。
【００９２】
デジタル放送送信装置６０は、音声信号入力切換部５０、音声信号符号化部５１、パケット化部５２、多重化部５５、シーケンス制御部４２、コンポーネント記述子更新部５７、パケット化部５４および変調部５６を備える。
【００９３】
なお、音声信号符号化部５１とパケット化部５２とにより、本発明のデジタル放送送信装置におけるパケット生成部による処理が実現される。また、パケット化部５４は、本発明のデジタル放送送信装置におけるパケット化部の一例である。
【００９４】
番組を構成する２チャンネルステレオまたは５．１チャンネルサラウンド信号は、音声信号入力切換部５０に入力されて切換え選択され、音声信号符号化部５１に入力されてデジタル信号に変換される。変換されたデジタル信号は、パケット化部５２にてヘッダ情報を付加され、ＰＥＳ化される。
【００９５】
同時に、シーケンス制御部４２はマニュアルまたは送出プログラミング指示に基づいて音声信号入力切換部５０を制御するとともに、コンポーネント記述子更新部５７へコンポーネント種別データとしてＭＰＥＧサラウンド種別ＩＤおよび変更予約ＩＤを入力する。
【００９６】
コンポーネント記述子更新部５７は、入力されたコンポーネント種別データにより、パケット化部５４に対して出力する音声コンポーネント記述子を更新する。なお、「音声コンポーネント記述子」は、単に「コンポーネント記述子」と表記される場合もある。
【００９７】
コンポーネント記述子更新部５７から出力されたデータは他のＰＡＴおよびＰＭＴとともにパケット化部５４に入力される。パケット化部５４は、入力されたこれらデータをセクション形式でパケット化する。
【００９８】
コンポーネント種別データを受信機に伝送することで、受信機の最適動作に大きな効果がある。例えば、受信機側では、音声信号の符号化方式がＡＡＣであるかＭＰＥＧサラウンドであるかを基本信号の復号化開始よりも早く知ることができる。
【００９９】
従来であれば、１フレーム分の基本信号を複数のパケットからすべて抽出し、復号した後にはじめて、音声信号がＡＡＣで符号化されているかＭＰＥＧサラウンドで符号化されているかを知ることができた。
【０１００】
これに対し、本実施の形態のデジタル放送送信装置６０によれば、音声信号がＡＡＣで符号化されているかＭＰＥＧサラウンドで符号化されているかを示す記述子が、音声信号のＰＥＳパケットとは別に、符号化情報としてセクション形式でパケット化されている。これにより、受信機では、音声信号の復号を開始する前に符号化情報を知ることができる。これにより、受信機において、確実に音声信号のデコード処理ができるという効果を得ることができる。
【０１０１】
図２は、本発明の実施の形態におけるデジタル放送送信装置６０における音声出力切換えの一例を示すフローチャートである。
【０１０２】
シーケンス制御部４２に、マニュアルまたは送出プログラミング指示により音声信号データの入力切換え指示が入力される（Ｓ０１）と、シーケンス制御部４２は、符号化情報モード変更ありか無しかを判定（Ｓ０２）し、変更ありの場合は変更点の決定（Ｓ０３）を行う。
【０１０３】
変更無しの場合はループしながら、変更ありになるのを待つ。変更点が決定（Ｓ０３）されると、シーケンス制御部４２は、変更前処理（Ｓ０４）として、変更予約ＩＤを出力するとともに、好ましくは、音声信号符号化部５１を制御することで、音声信号に対し、適時フェードアウトなどの処理を開始する。所定の時間経過後、シーケンス制御部４２は、変更処理として、音声信号符号化部５１を制御することで、音声ＰＥＳデータ切換えを行う（Ｓ０５）。その後、シーケンス制御部４２は、変更後処理として変更予約ＩＤの送出を停止するとともに、音声信号符号化部５１を制御することで、変更後の音声信号を適時フェードインさせてデミュート処理（Ｓ０６）をする。
【０１０４】
図３は、本発明の実施の形態のデジタル放送送信装置６０における音声出力切換え（２ｃｈから５．１ｃｈ）の一例を示すタイミングチャートである。
【０１０５】
図３のＡ）は音声モード、図３のＢ）は音声信号ＰＥＳの符号化形式、図３のＣ）は音声コンポーネント記述子の種別ＩＤ、図３のＤ）は変更予約ＩＤのタイミングチャートである。
【０１０６】
図３に示すＳ０１、Ｓ０４、Ｓ０５、およびＳ０６は、図２のフローチャートのステップと対応づけている。すなわちシーケンス制御部４２は、切換え指示（Ｓ０１）により変更前処理（Ｓ０１）として変更予約ＩＤ“Ｏｘ１７”を送出し始め、切換え処理（Ｓ０５）点で音声ＰＥＳをミュートしたまま符号化モードを切換え、同時に種別ＩＤを切り換える。
【０１０７】
なお、変更予約ＩＤは、当該変更点の所定の前後時間（当該変更点から所定の時間だけ前または後のタイミングで出力される。例えば、当該変更点よりも５００ミリ秒前から１ミリ秒前までのいずれかのタイミングで送出が開始される。
【０１０８】
シーケンス制御部４２は、変更後処理（Ｓ０６）点では変更予約ＩＤを停止し、音声ミュートを解除する。変更予約ＩＤ“Ｏｘ１７”はＭＰＥＧサラウンドの有無が変わるという内容である。つまり現行２チャンネルステレオであったのが、５．１チャンネルＭＰＥＧサラウンドに変更されることを意味する。
【０１０９】
逆にＭＰＥＧサラウンドから２チャンネルステレオに変更する場合も変更予約ＩＤ“Ｏｘ１７”が使用される。現行の種別ＩＤからＭＰＥＧサラウンドの機能の有無が変更されるという意味である。
【０１１０】
なお、現行規格の音声コンポーネント記述子ではコンポーネント種別として図１３に示すものが規定されているが、ＭＰＥＧサラウンドを識別できるコンポーネント種別が未規定である。そこで本発明においては音声コンポーネント記述子のコンポーネント種別ＩＤを追加してＭＰＥＧサラウンドの識別が出来るようにした。
【０１１１】
ＭＰＥＧサラウンド以外にもＳＢＲ付きの識別などが出来るように追加修正した一覧を図４Ａおよび図４Ｂに示す。
【０１１２】
図４Ａは、本発明の実施の形態において、音声コンポーネント記述子に追加する種別ＩＤの一覧を示す図であり、図４Ｂは、追加するモードの変更予約ＩＤの一覧を示す図である。変更予約ＩＤではＭＰＥＧサラウンドの変更以外に、ＳＢＲの変更およびサンプリング周波数の変更予約も出来るように拡張している。
【０１１３】
図５は、音声のモード変更例を説明する遷移図である。ＸＹ平面の第１象限にサンプリング周波数１６ｋＨｚないし４８ｋＨｚまでのノーマルモードを配置して示し、第２象限に同じくＭＰＥＧサラウンド付きモードを配置して示し、第４象限にＳＢＲ付きモードを配置して示し、さらに第３象限にＳＢＲおよびＭＰＥＧサラウンド付きモードを配置して示す。
【０１１４】
例えば太線で示すように、モードＭ０３（サンプリング周波数２４ｋＨｚノーマル）からＳＢＲが付加されＭ１３と遷移し、ＳＢＲを止めてサンプリング周波数４８ｋＨｚにしたＭ０６へ遷移し、ＭＰＥＧサラウンドを付加したＭ２６へ遷移した後にさらにＳＢＲを付加してＭ３３へ遷移する。図４Ａおよび図４Ｂに示す追加を行えば、音声コンポーネント記述子でこれらの遷移をすべて表すことができる。なお、ＳＢＲ付きモードでサンプリング周波数が制限されているのは、単に規格の運用規定によるものである。
【０１１５】
以上のように、音声コンポーネント記述子の拡張によって、考えられるすべてのモードの識別と変更予約の記述を伴った多重化データの送出が可能となる。これらは、本発明の実施の形態におけるデジタル放送送信装置６０から送出される。
【０１１６】
次に、デジタル放送送信装置６０から送信される放送を受信する受信装置について説明する。
【０１１７】
図６は、本発明の実施の形態におけるデジタル放送送信装置６０の放送を受信して５．１チャンネル信号を再生するデジタル放送受信装置の構成を示すブロック図である。
【０１１８】
図６に示すデジタル放送受信装置７０は、デジタル放送送信装置６０において符号化された音声信号の符号化情報が記述されたセクションパケットを解析することにより、音声信号を符号化時の符号化方式に従って復号するとともに、符号化方式の切換え点の前後においてもスムーズに切換えて再生する受信装置である。
【０１１９】
デジタル放送受信装置７０は、図示しない、アンテナ１０１、復調部１０２、および逆多重化部１０３を備える。デジタル放送受信装置７０はさらに、ＰＥＳデータを解析するパケット解析部１０、ストリーム情報解析部１１、ＡＡＣ２チャンネルデコーダ１２、ＳＢＲ情報解析部１７、チャンネル拡張情報解析部２２、帯域拡張部１８、セレクタ１９、チャンネル拡張部３１、２ｃｈの信号から５．１ｃｈの疑似サラウンド信号に変換する５．１チャンネル疑似サラウンド部２０、セレクタ２１、モード制御部４１、セクションデータを解析するパケット解析部２５、およびＩＤ検出部２７を備える。
【０１２０】
なお、パケット解析部１０は、本発明のデジタル放送受信装置における第一パケット解析部の一例である。また、パケット解析部２５およびＩＤ検出部２７により、本発明のデジタル放送受信装置における第二パケット解析部の処理が実現される。
【０１２１】
アンテナ１０１を介して受信したデジタル放送波は、復調部１０２にて受信処理され、多重化されたＴＳＰ列を出力する。逆多重化部１０３で、受信したＴＳＰ列からは、ＰＥＳデータおよびセクションデータが出力される。
【０１２２】
ＰＥＳデータはパケット解析部１０へ入力され、パケット解析部１０は、当該ＰＥＳデータから、符号化された音声信号である音声符号化信号を含む音声ストリームパケットを取得する。取得された音声ストリームパケットはストリーム情報解析部１１によって解析される。また、ストリーム情報解析部１１から基本信号、ＳＢＲ情報、チャンネル拡張情報およびＳＢＲ情報有無データ、チャンネル拡張情報有無データが出力される。
【０１２３】
基本信号はＡＡＣ２チャンネルデコーダ１２へ、ＳＢＲ情報はＳＢＲ情報解析部１７へ、チャンネル拡張情報はチャンネル拡張情報解析部２２へ出力される。ＳＢＲ情報有無データ、チャンネル拡張情報有無データはともにモード制御部４１へそれぞれ出力される。
【０１２４】
帯域拡張部１８はＡＡＣ２チャンネルデコーダ１２で復号化された基本信号を基にして高域にスペクトルをコピーして帯域拡張する。また、帯域拡張部１８は、ＳＢＲ情報解析部１７の出力を用いてエンベロープのエネルギーが滑らかになるように制御する。チャンネル拡張部３１は少なくとも基本信号を基にチャンネル拡張情報解析部２２の出力を用いてチャンネル拡張を行い５．１チャンネル信号の生成を行う。以上は従来と同様である。
【０１２５】
従来と異なるのは、第１に、パケット解析部２５にてセクションデータから符号化情報を抽出した後、当該符号化情報を、ＩＤ検出部２７に入力して追加種別ＩＤおよび変更予約ＩＤを検出し、検出した追加種別ＩＤおよび変更予約ＩＤをモード制御部４１へ入力するところである。
【０１２６】
追加種別ＩＤおよび変更予約ＩＤの内容としてＳＢＲ情報有無データおよびチャンネル拡張情報有無データに相当する種別ＩＤが含まれるので、これらについてはストリーム情報解析部１１の結果と２重に情報を得ることになる。ただし得られるタイミングが異なる。従来の情報に代えてより確実で早急に判別できる追加種別ＩＤおよび変更予約ＩＤだけとしてももちろん良い。
【０１２７】
モード制御部４１はこれらの情報を基に、音声信号がＳＢＲ付きである場合に帯域拡張された基本信号を選択するようセレクタ１９を制御する。また、モード制御部４１は、音声信号がＭＰＥＧサラウンド付きである場合に５．１チャンネル信号を選択するようセレクタ２１を制御する。
【０１２８】
従来と異なる第２のポイントは、変更予約ＩＤの検出とその利用である。変更予約ＩＤは音声符号化方式の変更点より以前に検出が可能となる。これにより、事前に音声を徐々にフェードアウトしてミュートするためのミュート制御信号をモード制御部４１から音声出力部（図示せず）に出力することができる。また、同時にチャンネル拡張部３１の初期化信号として変更予約ＩＤを出力する。つまり、変更予約ＩＤは、ＭＰＥＧサラウンドのチャンネル拡張モードへ移行した場合の処理を早めるためにも用いられる。
【０１２９】
図７は、本発明に好適なチャンネル拡張部３１の具体的な構成例を示すブロック図である。
【０１３０】
チャンネル拡張部３１の機能的な構成は、従来のチャンネル拡張部１３０の機能的な構成と同じである。しかし、それぞれのフィルタおよび遅延部に初期化信号が与えられるように構成されている。これにより、残存するゴミデータにより異音が発生することが防止され、またそのためにゼロデータなどを印加するなどのシーケンスを不要とする。これにより、新規のデータが得られると直ぐにチャンネル拡張部３１でチャンネル拡張処理を開始できる効果を生じる。
【０１３１】
図８は、本発明の実施の形態のデジタル放送送信装置６０における音声種別変更検出および変更補助処理フローを示すフローチャートである。
【０１３２】
従来と同一または同様のステップは図２１と同符号を付して説明は省略する。
【０１３３】
従来と異なるのは、ステップＳ１１でＰＩＤを設定して選局関連の設定を行った直後に、コンポーネント種別ＩＤおよび変更予約ＩＤの検出判定を行うステップ（Ｓ２２）が追加された点である。より具体的には、Ｓ２２でＹＥＳの場合にはＳ１３からＳ１６までのステップをスキップしてダイレクトにＳ１７へ処理が移行し、音声ミュート処理およびチャンネル拡張部３１の初期化を行うためのパスＰ２２が追加されている。
【０１３４】
このため、従来技術における課題であった、前回の判定結果からの変化を根拠として２チャンネルとＭＰＥＧサラウンドとの判別行うために時間を要していた処理期間が短縮される。
【０１３５】
図９は、本発明の実施の形態の５．１ｃｈシステムにおける２ｃｈから５．１ｃｈへのシーケンスを示すタイミング図である。
【０１３６】
図９のＡ）は音声モードであり、タイミングＴ０１で２チャンネルから５．１チャンネルに切換える。すなわちモード遷移する。
【０１３７】
図９のＢ）は送出される音声ＰＥＳである。タイミングＴ０１まで２チャンネルＡＡＣで、それ以降のモードはＭＰＥＧサラウンドで符号化したデータが送出される。切換え時のミュート（無音）は５００ｍｓから２００ｍｓに短くされている。
【０１３８】
図９のＣ）は送出される種別ＩＤである。タイミングＴ０１まで２／０モード（ステレオ）で、それ以降３／２＋ＬＦＥモード（ＭＰＥＧサラウンド）の種別ＩＤが送出される。
【０１３９】
図９のＤ）は送出される変更予約ＩＤである。タイミングＴ０１に先がけてタイミングＴ００からＭＰＥＧサラウンドの変更が予約されることを示す“０ｘ１７”が送出され、Ｔ０７まで送出が繰り返される。
【０１４０】
図９のＥ）はこのような信号を受信するデジタル放送送信装置６０のデコード処理タイミングを示すものである。デジタル放送送信装置６０は変更予約ＩＤを検出してモードの変更の有無を事前に知る（Ｔ０２）ため、タイミングＴ０２で初期化を開始し、かつ、変更後のＭＰＥＧサラウンドのデコード処理をＴ０４には開始できる。
【０１４１】
図９のＦ）は音声出力の状態を示す図である。初期化に要する時間経過後、タイミングＴ０４からデコード処理遅延後のタイミングＴ０５でデコード処理データが得られ、ミュート解除して再生音を出力出来るようになる。
【０１４２】
図９のＧ）は付加出力としての疑似サラウンド２ｃｈから５．１ｃｈのタイミングである。チャンネル拡張部３１と同様に、５．１チャンネル疑似サラウンド部２０による、フィルタおよび遅延の処理による全体への影響を軽減できる。全体への影響と言うのは、ＭＰＥＧシステムのバッファ制御への負荷が下がることを含むものである。
【０１４３】
図１０は、本発明の実施の形態の５．１ｃｈシステムにおける５．１ｃｈから２ｃｈへのシーケンスを示すタイミング図である。
【０１４４】
各シーケンスは、図９と同様であるので詳細説明を省くが、チャンネル拡張部３１などの初期化のための時間が短縮され全体にミュート時間をさらに短縮できる。
【０１４５】
図１１は、本発明の実施の形態における２チャンネルステレオ信号を再生するデジタル放送受信装置の構成を示すブロック図である。２チャンネルステレオの場合は従来と同様に問題は少ない。
【０１４６】
図１１に示すデジタル放送受信装置８０は、基本的な構成は図６に示すデジタル放送受信装置と同じである。しかし、５．１ｃｈの音声の再生に関する構成要素（５．１チャンネル疑似サラウンド部２０、およびチャンネル拡張部３１）を備えず、２チャンネル疑似サラウンド部２６を備えている。２チャンネル疑似サラウンド部２６はモード制御部４４に制御される。
【０１４７】
図１２は、本発明の実施の形態の２ｃｈシステムにおいて５．１ｃｈ、２ｃｈ、および５．１ｃｈの順にモードが遷移する場合のシーケンスを示すタイミング図である。２チャンネルステレオの場合は従来と同様に問題はない。
【０１４８】
以上のように、本発明は、デジタル放送受信機において、伝送される音声信号の符号化方式に応じた処理判断を短時間で行うことを可能とした、デジタル放送送信装置、デジタル放送受信装置、およびデジタル放送送受信システムを提供することを可能とする。
【０１４９】
なお、本発明を上記実施の形態に基づいて説明してきたが、本発明は、上記の実施の形態に限定されないのはもちろんである。以下のような場合も本発明に含まれる。
【０１５０】
（１）本発明は、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、蓄積メモリユニット、ディスプレイ、およびマンマシンインターフェースなどから構成されるコンピュータシステムによって実現してもよい。動的あるいは固定的に蓄積されるコンピュータプログラムにしたがって動作することにより、各装置は、その機能を達成するよう構成されたものである。
【０１５１】
（２）上記の各装置（６０、７０、８０）を構成する構成要素の一部または全部は、システムＬＳＩから構成されているとしてもよい。具体的には、マイクロプロセッサ、ＲＯＭ、ＲＡＭなどを含んで構成されるコンピュータシステムである。コンピュータプログラムが記憶され、前記コンピュータプログラムにしたがって動作することにより、システムＬＳＩは、その機能を達成する。
【０１５２】
（３）本発明は、脱着可能なＩＣカードまたは単体のモジュールから構成されているとしてもよい。前記ＩＣカードまたは前記モジュールは、マイクロプロセッサ、ＲＯＭ、ＲＡＭなどを含んで構成されるコンピュータシステムである。コンピュータプログラムが記憶され、前記コンピュータプログラムにしたがって動作することにより、その機能を達成する。
【０１５３】
（４）本発明は、本発明のデジタル放送送信装置およびデジタル放送受信装置それぞれによって実行される処理を含む方法として実現してもよい。また、これらの方法をコンピュータにより実現するコンピュータプログラムであるとしてもよいし、前記コンピュータプログラムからなるデジタル信号であるとしてもよい。
【０１５４】
さらに、本発明は、これらプログラムのそれぞれが記録された記録媒体として実現することもできる。
【産業上の利用可能性】
【０１５５】
本発明は、音声、映像および文字等の情報をデジタル方式で伝送するデジタル放送伝送システム、並びに、デジタル放送伝送システムを構成するデジタル放送送信装置およびデジタル放送受信装置に適し、特に、デジタルテレビ、セットトップボックス、カーナビゲーションシステム、携帯型ワンセグテレビなどの、デジタル放送受信装置に適している。
【符号の説明】
【０１５６】
１０、２５、１１０、１２５  パケット解析部
１１、１１１  ストリーム情報解析部
１２、１１２  ＡＡＣ２チャンネルデコーダ
１７、１１７  ＳＢＲ情報解析部
１８、１１８  帯域拡張部
１９、２１、１１６、１１９、１２１  セレクタ
２０、１２０  ５．１チャンネル疑似サラウンド部
２２、１２２  チャンネル拡張情報解析部
２６  ２チャンネル疑似サラウンド部
２７  ＩＤ検出部
３１、１３０  チャンネル拡張部
４１、４４、１４１  モード制御部
４２、１４２  シーケンス制御部
５０、１５０  音声信号入力切換部
５１、１５１  音声信号符号化部
５２、５４、１５２、１５４  パケット化部
５５、１５５  多重化部
５６、１５６  変調部
５７  コンポーネント記述子更新部
６０    デジタル放送送信装置
７０、８０    デジタル放送受信装置
１０１    アンテナ
１０２    復調部
１０３    逆多重化部
１１３    ＡＡＣ５．１チャンネルデコーダ
１１４    ダウンミクシング係数解析部
１１５    ダウンミクシング合成部
１５３    記述子符号化部
【手続補正２】
【補正対象書類名】特許請求の範囲
【補正対象項目名】全文
【補正方法】変更
【補正の内容】
【特許請求の範囲】
【請求項１】
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部と
を備えるデジタル放送送信装置。
【請求項２】
さらに、マニュアルまたは送出プログラミングによる指示によって、前記音声コンポーネント種別の変更点を決定し、前記変更点の所定の前後時間において変更予約ＩＤが出力されるように前記記述子更新部を制御するシーケンス制御部を備える
請求項１に記載のデジタル放送送信装置。
【請求項３】
前記シーケンス制御部は、前記変更予約ＩＤが送出される間の音声が無音となるように前記パケット生成部を制御する
請求項２に記載のデジタル放送送信装置。
【請求項４】
前記シーケンス制御部は、前記変更予約ＩＤの送出の開始のタイミングが、前記変更点よりも５００ミリ秒前から１ミリ秒前までのいずれかのタイミングとなるように、前記記述子更新部を制御する
請求項２に記載のデジタル放送送信装置。
【請求項５】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部と、
前記第二パケット解析部が変更予約ＩＤを検出した場合、音声をミュートするためのミュート制御信号を出力するモード制御部と
を備えるデジタル放送受信装置。
【請求項６】
デジタル放送送信装置と、デジタル放送受信装置とを備えるデジタル放送送受信システムであって、
前記デジタル放送送信装置は、
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤおよび音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部とを有し、
前記デジタル放送受信装置は、
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するデジタル放送受信装置であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部と、
前記第二パケット解析部が変更予約ＩＤを検出した場合、音声をミュートするためのミュート制御信号を出力するモード制御部とを有する
デジタル放送送受信システム。
【請求項７】
入力される音声信号を符号化して音声符号化信号へ変換し、変換後の音声符号化信号を含む音声ストリームパケットを生成することでＰＥＳデータを生成するパケット生成ステップと、
音声符号化方式がＭＰＥＧサラウンドであることを示すコンポーネント種別ＩＤおよび音声コンポーネント種別の変更予約を示す変更予約ＩＤを含むコンポーネント記述子を更新する記述子更新ステップと、
更新したコンポーネント記述子をパケット化することでセクションデータを生成するパケット化ステップと、
前記ＰＥＳデータと前記セクションデータとを多重化する多重化ステップと、
前記多重化部から得られる多重化したデータを変調して送信する変調ステップと
を含むデジタル放送送信方法。
【請求項８】
入力される音声信号を符号化して音声符号化信号へ変換し、変換後の音声符号化信号を含む音声ストリームパケットを生成することでＰＥＳデータを生成するパケット生成部と、
音声符号化方式がＭＰＥＧサラウンドであることを示すコンポーネント種別ＩＤ、および、音声コンポーネント種別の変更予約を示す変更予約ＩＤを含むコンポーネント記述子を更新する記述子更新部と、
更新したコンポーネント記述子をパケット化することでセクションデータを生成するパケット化部と、
前記ＰＥＳデータと前記セクションデータとを多重化する多重化部と、
前記多重化部から得られる多重化したデータを変調して送信する変調部と
を備える集積回路。
【請求項９】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力するためのデジタル放送受信方法であって、
前記多重化放送を受信する受信ステップと、
受信した前記多重化放送のデータである多重化データに含まれるＰＥＳデータから、符号化された音声信号である音声符号化信号を含む音声ストリームパケットを取得する第一パケット解析ステップと、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析ステップと、
前記第二パケットステップにおいて変更予約ＩＤが検出された場合、音声をミュートするためのミュート制御信号を出力するモード制御ステップと
を含むデジタル放送受信方法。
【請求項１０】
少なくとも音声符号化方式がＭＰＥＧサラウンドであることを示すコンポーネント種別ＩＤを含むコンポーネント記述子をパケット化して送信される多重化放送を受信し、前記多重化放送に含まれる音声を出力する集積回路であって、
前記多重化放送を受信する受信部と、
受信した前記多重化放送のデータである多重化データに含まれるＰＥＳデータから、符号化された音声信号である音声符号化信号を含む音声ストリームパケットを取得する第一パケット解析部と、
前記多重化データに含まれるセクションデータから音声符号化方式がＭＰＥＧサラウンドであることを示すコンポーネント種別ＩＤおよび音声コンポーネント種別の変更予約を示す変更予約ＩＤを含むコンポーネント記述子を検出する第二パケット解析部と、
前記第二パケット解析部が変更予約ＩＤを検出した場合、音声をミュートするためのミュート制御信号を出力するモード制御部と
を備える集積回路。
【手続補正３】
【補正対象書類名】図面
【補正対象項目名】全図
【補正方法】変更
【補正の内容】
【図１】
2011027494.tif 000031
【図２】
2011027494.tif 000032
【図３】
2011027494.tif 000033
【図４Ａ】
2011027494.tif 000034
【図４Ｂ】
2011027494.tif 000035
【図５】
2011027494.tif 000036
【図６】
2011027494.tif 000037
【図７】
2011027494.tif 000038
【図８】
2011027494.tif 000039
【図９】
2011027494.tif 000040
【図１０】
2011027494.tif 000041
【図１１】
2011027494.tif 000042
【図１２】
2011027494.tif 000043
【図１３】
2011027494.tif 000044
【図１４】
2011027494.tif 000045
【図１５】
2011027494.tif 000046
【図１６Ａ】
2011027494.tif 000047
【図１６Ｂ】
2011027494.tif 000048
【図１６Ｃ】
2011027494.tif 000049
【図１６Ｄ】
2011027494.tif 000050
【図１６Ｅ】
2011027494.tif 000051
【図１７】
2011027494.tif 000052
【図１８】
2011027494.tif 000053
【図１９】
2011027494.tif 000054
【図２０】
2011027494.tif 000055
【図２１】
2011027494.tif 000056
【図２２】
2011027494.tif 000057
【図２３】
2011027494.tif 000058
【国際調査報告】
2011027494.tif 000059
2011027494.tif 000060